(57)【要約】【課題】制御基板の不正対策を十分に講じた上で、生産性の低下を抑制しつつ、搭載される制御基板の誤組付けを防止することのできる遊技機を提供する。【解決手段】内枠１２の背面側に固定される取付部材に取付けられる基板搭載ユニットは、制御装置を収容した基板ボックス、基板ボックスに取付けられるベース部材、及び基板ボックスとベース部材とを連結可能な複数の第１連結部を備えている。基板ボックスは第１適合突起を備え、取付部材は適合孔部を備えている。そして、基板搭載ユニットと取付部材との組付けに際し、第１適合突起が適合孔部に侵入することで、基板搭載ユニットと取付部材との組付けが許容される。また、基板ボックスは第３適合突起を備え、ベース部材は切込み凹部を備えている。そして、基板ボックスとベース部材との組付けに際し、第３適合突起が切込み凹部に侵入することで、基板ボックスとベース部材との組付けが許容される。【選択図】      図１
2015163250.tif 000002
【特許請求の範囲】
【請求項１】
固定枠と、
前記固定枠の左右一側部側に対応して回転可能に支持される遊技機本体の背面側に固定される取付部材と、
前記取付部材に固定される基部と、前記基部に対して回転可能に設けられる係合部とを具備する接続部材と、
前記接続部材に取付けられ、各種制御を行う制御部材を搭載してなる基板搭載ユニットとを備える遊技機において、
前記基板搭載ユニットは、前記制御部材と、前記制御部材に対応して成形され、前記制御部材を収容する基板ボックスと、前記基板ボックスに取付けられるベース部材と、前記基板ボックスと前記ベース部材とを連結するための複数の第１連結部と、前記複数ある第１連結部のうち一部において前記基板ボックスと前記ベース部材とを連結する第１連結部材とを備え、未使用の前記第１連結部が残存するとともに、前記基板ボックスを前記ベース部材から取外した場合に前記基板搭載ユニットに対して所定の痕跡が形成される構成であり、
前記基板ボックスは、ボックスベースと、前記ボックスベースの開口部を覆うボックスカバーと、前記ボックスベースと前記ボックスカバーとを連結するための第２連結部と、前記第２連結部において前記ボックスベースと前記ボックスカバーとを連結する第２連結部材とを備え、前記基板ボックスを開封した場合に前記基板ボックスに対して所定の痕跡が形成される構成であり、
前記ベース部材は、前記接続部材の前記係合部と係合可能な被係合部を備え、前記係合部又は前記被係合部のうち一方を他方に差込むことで、前記係合部と前記被係合部とが係合し、前記ベース部材が前記接続部材を介して前記取付部材に取付けられるとともに、前記他方に設けられた被覆手段により、前記係合部と前記被係合部との結合部分が覆われ、前記取付部材、前記接続部材、又は、前記ベース部材を破壊しない限り、前記ベース部材を前記取付部材から取外し不可能となる構成であって、
前記ベース部材は、少なくとも一部が前記基板ボックスの前面又は後面に重ねられて取付けられ、
前記第１連結部に対し、前記第１連結部材が前記基板搭載ユニットの前面側から差し込まれることで、前記基板ボックスと前記ベース部材とが連結状態とされることを特徴とする遊技機。
【発明の詳細な説明】
【技術分野】
【０００１】
本発明は、遊技機に関するものである。
【背景技術】
【０００２】
遊技機の一種として、パチンコ遊技機やスロットマシン等が知られている。これらの遊技機は、ＣＰＵ（中央処理装置）や遊技に関わる制御プログラムが記憶されたＲＯＭ等の電子部品が実装された制御基板（制御装置）を備えており、その制御基板によって一連の遊技が制御されている。
【０００３】
この種の遊技機においては、不正な利益を得ることを目的として、制御基板を不正に取り外して当該基板のＲＯＭ等を交換したり、リード線等により外部から不正な電気信号を制御基板に入力させたりする等、制御基板に対しての不正行為が数多く報告されており、各種の不正対策が検討されている（例えば特許文献１参照）。
【先行技術文献】
【特許文献】
【０００４】
【特許文献１】特開２００３−１８０９１７号公報
【発明の概要】
【発明が解決しようとする課題】
【０００５】
しかしながら、上記のように制御基板に対して様々な不正対策を施すことに起因して構成の複雑化を招くことが懸念され、製造作業性、ひいては生産性の低下等を招くおそれがある。また、生産効率の向上や製造コストの削減等を図る上で、制御基板周りの構成を共通化した場合、例えば、所定の遊技機に対し、別の機種の遊技機に搭載されるはずの制御基板が誤って搭載されてしまうといった事態を招くおそれがある。
【０００６】
なお、上記課題は、パチンコ機に限らず、同様の構造を有する他の遊技機にも該当する問題である。
【０００７】
本発明は、上記例示した問題点等を解決するためになされたものであり、その目的は、制御基板の不正対策を十分に講じた上で、生産性の低下を抑制しつつ、搭載される制御基板の誤組付けを防止することのできる遊技機を提供することにある。
【課題を解決するための手段】
【０００８】
請求項１に記載の遊技機は、
固定枠と、
前記固定枠の左右一側部側に対応して回転可能に支持される遊技機本体の背面側に固定される取付部材と、
前記取付部材に固定される基部と、前記基部に対して回転可能に設けられる係合部とを具備する接続部材と、
前記接続部材に取付けられ、各種制御を行う制御部材を搭載してなる基板搭載ユニットとを備える遊技機において、
前記基板搭載ユニットは、前記制御部材と、前記制御部材に対応して成形され、前記制御部材を収容する基板ボックスと、前記基板ボックスに取付けられるベース部材と、前記基板ボックスと前記ベース部材とを連結するための複数の第１連結部と、前記複数ある第１連結部のうち一部において前記基板ボックスと前記ベース部材とを連結する第１連結部材とを備え、未使用の前記第１連結部が残存するとともに、前記基板ボックスを前記ベース部材から取外した場合に前記基板搭載ユニットに対して所定の痕跡が形成される構成であり、
前記基板ボックスは、ボックスベースと、前記ボックスベースの開口部を覆うボックスカバーと、前記ボックスベースと前記ボックスカバーとを連結するための第２連結部と、前記第２連結部において前記ボックスベースと前記ボックスカバーとを連結する第２連結部材とを備え、前記基板ボックスを開封した場合に前記基板ボックスに対して所定の痕跡が形成される構成であり、
前記ベース部材は、前記接続部材の前記係合部と係合可能な被係合部を備え、前記係合部又は前記被係合部のうち一方を他方に差込むことで、前記係合部と前記被係合部とが係合し、前記ベース部材が前記接続部材を介して前記取付部材に取付けられるとともに、前記他方に設けられた被覆手段により、前記係合部と前記被係合部との結合部分が覆われ、前記取付部材、前記接続部材、又は、前記ベース部材を破壊しない限り、前記ベース部材を前記取付部材から取外し不可能となる構成であって、
前記ベース部材は、少なくとも一部が前記基板ボックスの前面又は後面に重ねられて取付けられ、
前記第１連結部に対し、前記第１連結部材が前記基板搭載ユニットの前面側から差し込まれることで、前記基板ボックスと前記ベース部材とが連結状態とされることを特徴としている。
【発明の効果】
【０００９】
請求項１によれば、制御基板の不正対策を十分に講じた上で、生産性の低下を抑制しつつ、搭載される制御基板の誤組付けを防止することができる。
【図面の簡単な説明】
【００１０】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】パチンコ機の背面図である。
【図６】内枠及び裏パックユニット等を開放した状態を示す斜視図である。
【図７】電気的構成を示すブロック図である。
【図８】基板搭載ユニットを示す斜視図である。
【図９】基板搭載ユニットを示す斜視図である。
【図１０】基板搭載ユニット、スペーサー、裏枠セットを示す分解斜視図である。
【図１１】スペーサーの搭載部材を示す斜視図である。
【図１２】基板ボックス及びベース部材を示す正面図である。
【図１３】基板ボックスの分解斜視図である。
【図１４】基板ボックス、封印シール、及びシールカバーを示す斜視図である。
【図１５】ベース部材の正面図である。
【図１６】（ａ）はベース本体の背面図であり、（ｂ）はベースカバーの正面図であり、（ｃ）は係止金具の斜視図である。
【図１７】別の実施形態における接続金具及び係止金具を示す斜視図である。
【図１８】別の実施形態における接続金具及び係止金具を示す斜視図である。
【発明を実施するための形態】
【００１１】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１２】
図３等に示すように、パチンコ機１０は、当該パチンコ機１０の外郭を構成する固定枠としての外枠１１を備えており、この外枠１１の一側部に開閉部材としての内枠１２が開閉可能に支持されている。なお、内枠１２及びこれに取付けられる遊技盤３０等の各種構成部材により本実施形態における遊技機本体が構成される。
【００１３】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１４】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１５】
また、右辺枠構成部１１ｄには、その幅方向後端部近傍から外枠１１内側へ向け突出した遮蔽部材としての延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４、８５が設けられている。また、下側の受部８５には、後述する内枠開放検知スイッチ９２に当接する押圧部８６が、外枠１１内側に向けて突設されている。
【００１６】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１７】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１８】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１９】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２０】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２１】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００２２】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９が遊技球で一杯になった状態では、払出される遊技球は下皿１５へと案内される。
【００２３】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２４】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２５】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２６】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２７】
また、内枠１２（樹脂ベース３８）の前面下部、すなわち窓孔３９（遊技盤３０）の下方位置には、発射装置７０及び当該発射装置７０より発射された直後の遊技球を案内する発射レール６１が取付けられている。本実施形態では、発射装置７０としてソレノイド式発射装置を採用している。
【００２８】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３に遊技球が入球（入賞）すると、それぞれに対応して設けられた検知スイッチからの出力信号に基づき、上皿１９（または下皿１５）へ所定数の賞球が払い出される。その他に、遊技盤３０にはアウト口３６が設けられており、各種入賞部（一般入賞口３１、可変入賞装置３２、第１契機対応ユニット３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２９】
可変表示装置ユニット３５には、第２契機対応口３４の通過をトリガとして変動表示する普通図柄表示装置４１と、第１契機対応ユニット３３への入賞をトリガとして変動表示する特別表示装置４３と、特別表示装置４３による変動表示に合わせて変動表示する装飾図柄表示装置４２とが設けられている。
【００３０】
普通図柄表示装置４１は複数の発光手段（ＬＥＤ）を内蔵しており、遊技球が第２契機対応口３４を通過すると点灯表示態様が切換表示（変動表示）され、その変動表示が特定の点灯態様で数秒間停止した場合に第１契機対応ユニット３３が所定時間だけ作動状態となる（第１契機対応ユニット３３において上下一対で設けられる入球口のうち下側の入球口に対応して設けられる羽根部材が開放され、下側の入球口への入球が許容される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３１】
特別表示装置４３は、普通図柄表示装置４１の側方に設けられた複数の発光部により構成され、遊技球が第１契機対応ユニット３３に入賞する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００３２】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３３】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００３４】
また、遊技盤３０には、内レール構成部５１と外レール構成部５２とからなり、発射装置７０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００３５】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００３６】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００３７】
図３に示すように、前面枠セット１４の背面側には、窓部１０１の下方において、後述する払出機構部３５２から下皿１５の排出口１６へ繋がる球通路７１が設けられている。また、内枠１２に設けられた発射レール６１とレールユニット５０（外レール構成部５２）との間には所定間隔の隙間があり、前面枠セット１４の背面側には、前記隙間より落下した遊技球を下皿１５へと案内するファール球通路７２が形成されている。これにより、仮に、発射装置７０から発射された遊技球が戻り球防止部材５３まで至らずファール球としてレール５０を逆戻りする場合には、そのファール球がファール球通路７２を介して下皿１５に排出される。
【００３８】
また、図３及び図４中の符号６７は後述する払出機構部３５２により払出された遊技球を内枠１２の前方に案内するための払出通路であり、上皿１９に通じる通路と、球通路７１ひいては下皿１５に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、球通路７１の入口側後端部によってシャッタ６８が押し開けられるようになっている。
【００３９】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００４０】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５、及びサブ制御装置２６２が前後に重ねられた状態で着脱可能に取り付けられている。
【００４１】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ、２６２ａは透明樹脂材料等により構成され、収容ボックス４２ａ及び基板ボックス４５ａ、２６２ａを介して各制御装置４２、４５、２６２を視認可能となっている。
【００４２】
フレームカバー２１３の下方には裏枠セット２１５が、一般入賞口３１、可変入賞装置３２、及び第１契機対応ユニット３３等を背後から覆うようにして遊技盤３０に取付けられている。図１０に示すように、裏枠セット２１５は、各種入賞口に入賞した遊技球を回収するための球回収機構２１６を備えている。また、詳しくは後述するが、本実施形態では、裏枠セット２１５が主制御装置２６１の取付台（取付部材）として機能し、主制御装置２６１（主制御装置２６１を搭載した基板搭載ユニット７０１）は裏枠セット２１５の右側部（図６では左側）に対して開閉可能に支持され、上下方向に沿って延びる開閉軸線を軸心として後方に開放可能となっている。
【００４３】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材（第２連結部）によって連結されている。封印部材によって連結された基板ボックス２６３は、所定の痕跡を残さなければ開封できない構成となっている。これにより、基板ボックス２６３が不正に開封された旨を容易に発見することができる。尚、当該基板ボックス２６３については後程詳細に説明する。
【００４４】
図１０に示すように、球回収機構２１６の球通路上には、一般入賞口３１に入球した遊技球を検知する入賞口スイッチ２２１、及び第１契機対応ユニット３３に入球した遊技球を検知する第１契機対応スイッチ２２４が設けられている。尚、球回収機構２１６により回収された遊技球は、後述する排出通路部２１７に案内され、排出通路部２１７の排出シュートからパチンコ機１０外部に排出される。
【００４５】
尚、図示は省略するが、遊技盤３０に固定される可変入賞装置３２には当該可変入賞装置３２に入球した遊技球を検知するカウントスイッチが設けられ、遊技盤３０のうち第２契機対応口３４に対応する位置には第２契機対応口３４を通過する遊技球を検知する第２契機対応口（ゲート）スイッチが設けられている。また、第１契機対応ユニット３３は上下２つの入球口を備えており、上側の入球口に対応する第１契機対応スイッチ２２４は上記のように球回収機構２１６の球通路上に設けられているが、下側の入球口に対応する第１契機対応スイッチは第１契機対応ユニット３３に設けられている。上記各検知スイッチによる検知の結果は主制御装置２６１に取り込まれ、該主制御装置２６１よりその都度の入賞状況に応じた払出指令（遊技球の払出個数）が払出制御装置３１１に送信される。そして、該払出制御装置３１１からの出力信号に基づき所定数の遊技球の払出しが実施される。本実施形態のパチンコ機１０では、各種入賞口毎に遊技球の入賞を電気的に感知して払出しが直ちに行われる。
【００４６】
その他、裏枠セット２１５には、入賞口スイッチ２２１、カウントスイッチ、及び第２契機対応口スイッチと、主制御装置２６１との電気的な接続を中継する第１盤面中継基板（図示略）、遊技盤３０の下部に設けられる電飾部材のＬＥＤ基板とサブ制御基板２６２との電気的な接続を中継する電飾中継基板（図示略）、及び、第１契機対応ユニット３３の周縁部に配置され、前記電飾中継基板に接続されるＬＥＤ基板２３３が設けられている。尚、第１契機対応ユニット３３への入球を検知する第１契機対応スイッチ２２４は中継基板を経ることなくコネクタケーブルを介して直接主制御装置２６１に接続される。また、可変入賞装置３２には大入賞口を開放するための大入賞口ソレノイドが設けられ、第１契機対応ユニット３３には下側の入球口に対応して電動役物（羽根部材）を開放するための第１契機対応ユニット（始動口）ソレノイドが設けられている。加えて、裏枠セット２１５に搭載される検知スイッチ等は背面側から着脱可能となっており（第１盤面中継基板は取外し不可としてもよい）、裏枠セット２１５を遊技盤３０から取外さなくてもかかる検知スイッチ等のメンテナンスや交換等を行うことができる。
【００４７】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられており、外部中継端子板２４０に設けられた各出力端子を通じて、遊技ホール側の管理制御装置に対して遊技状態等に関する信号が出力される構成となっている。
【００４８】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を囲むのに十分な大きさを有する。但し、本実施形態では、保護カバー部３５４が基板搭載ユニット７０１の上部及び右部（図５では左側の部位）も合わせて囲む構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００４９】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００５０】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００５１】
裏パックユニット２０３（基板搭載ユニット７０１）の下方には、内枠１２の左側部（図５では右側）に対して開閉可能に支持され、上下方向に沿って延びる開閉軸線を軸心として後方に開放可能な下枠セット２５１が設けられている。図６に示すように、下枠セット２５１は、球回収機構２１６から導出された遊技球が流入する排出通路部２１７を備え、排出通路部２１７の最下流部には、遊技球をパチンコ機１０外部へ排出する排出シュート（図示略）が形成されている。従って、一般入賞口３１等の各入賞口に入賞した遊技球は、裏枠セット２１５の球回収機構２１６を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３及び裏枠セット２１５が別体として構成され、それぞれ独立して開閉可能であるが、裏パックユニット２０３と下枠セット２５１とが一体的に形成されることとしてもよい。
【００５２】
また、図５に示すように、下枠セット２５１の背面側には、払出制御装置３１１、発射制御装置３１２、電源装置３１３、及びカードユニット接続基板３１４が前後に重ねられた状態で着脱可能に取り付けられている。発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。また、払出制御装置３１１は基板ボックス３１１ａに収容されて基板ボックス３１３ａの背面側に固定されている。尚、払出制御装置３１１が収容される基板ボックス３１３ａには、上述した主制御装置２６１が収容される基板ボックス２６３と同様に封印部材が設けられ、基板ボックス３１３ａの開封した痕跡が残るようになっている。加えて、カードユニット接続基板３１４は基板ボックス３１４ａに収容されて基板ボックス３１３ａの背面側に固定されている。各基板ボックス３１１ａ、３１３ａ、３１４ａは透明樹脂材料等により構成され、基板ボックス３１１ａ、３１３ａ、３１４ａを介して各制御装置３１１、３１２，３１３、３１４を視認可能となっている。
【００５３】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００５４】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００５５】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することがさらに困難となる。結果として、さらなる防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００５６】
また、図４に示すように、内枠１２の前面側右下部（発射装置７０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００５７】
さて、本実施形態では、主制御装置２６１を搭載してなる基板搭載ユニット７０１と、当該基板搭載ユニット７０１が取付けられる取付部材との取付構造に特徴がある。以下、基板搭載ユニット７０１及び取付部材について図８乃至図１０等を参照して説明する。本実施形態の取付部材は、取付台としての裏枠セット２１５と、裏枠セット２１５の左側部において開閉可能に軸支され、閉状態において裏枠セット２１５の後方に配置される支持部材としてのスペーサー６０１とにより構成される。また、基板搭載ユニット７０１は、裏枠セット２１５の右側部において開閉可能に軸支され、閉状態においてスペーサー６０１の後方に配置される構成となっている。
【００５８】
まず、裏枠セット２１５について説明する。裏枠セット２１５は、上記のように、遊技盤３０の背面に固定される樹脂製の部材であり、球回収機構２１６（図１０参照）を備えている。また、裏枠セット２１５の右部には前方に開口する略箱状の台座部２７１が形成されている。台座部２７１の背面には基板搭載ユニット７０１を軸支するための接続金具２８１（接続部材）が取付けられている。
【００５９】
図８、図１０に示すように、接続金具２８１は、板状の抜け規制部２８３及び抜け規制部２８３の両端部から抜け規制部２８３の垂線方向に沿って延びる挿通部２８４からなる略コ字状の基部２８２と、略Ｌ字状に折り曲げ形成され、基部２８２（挿通部２８４の両先端部）に対して回動可能に取付けられる係合部としての差込部２８６とを備えている。
【００６０】
接続金具２８１の取付けは、まず、台座部２７１背面に形成された上下一対の孔部２７２（図８参照）に対してそれぞれ挿通部２８４を前方から挿通させ、抜け規制部２８３（図１０参照）と台座部２７１とを当接させた状態でねじ固定する。それから、台座部２７１の後方に突出した上下一対の挿通部２８４の先端部に対し、差込部２８６の一端部側において上下端部を折り曲げることで形成された軸支部２８８を金属製のリベット２８９により固定することで（挿通部２８４の先端部及び軸支部２８８に形成されたねじ孔にリベット２８９を挿通し、リベット２８９の先端部を潰すことで）、差込部２８６が基部２８２に対して上下方向に沿って延びる開閉軸線を軸心として回動可能に取付けられる。以上のようにして、台座部２７１に対して接続金具２８１が取付けられる。また、基部２８２を台座部２７１に固定するねじは前方から螺着される。このため、裏枠セット２１５の遊技盤３０への取付け後においては、基部２８２を固定したねじを取外すことが不可能となる。
【００６１】
尚、台座部２７１を貫通した挿通部２８４に対して差込部２８６がリベット２８９により取外し不能に固定されることで、基部２８２を台座部２７１に固定したねじを取外したとしても接続金具２８１を台座部２７１から取外せなくなる。従って、接続金具２８１を取外すことで、基板搭載ユニット７０１が取外されてしまうといった事態をより確実に防止することができる。また、図８に示すように、台座部２７１に形成された上下一対の孔部２７２は、それぞれ上部及び下部において工具（ニッパー、カッター等）の先端部を挿通可能な切込み部２７２ａを備えている。また、台座部２７１の上面及び下面には、前後方向に延びるスリット２７４が形成されている。さらに、台座部２７１の背面はリブを格子状に設けることで形成されており、孔部２７２の他にも、上下一対の孔部２７２間において複数の開口部が形成されている。そして、切込み部２７２ａやスリット２７４等にニッパーやカッター等の工具の先端部を挿通させ、台座部２７１を２つに分断するようにして、スリット２７４の後端部に残された連結部位やリブ等を切断することによって、比較的容易に接続金具２８１を台座部２７１から離脱させることができる。従って、上記のように接続金具２８１を台座部２７１に対して取外し不能に固定したとしても、分別作業性の低下を抑止することができる。
【００６２】
加えて、図１０に示すように、台座部２７１の左方には、後方に膨出し、スペーサー６０１の閉状態においてスペーサー６０１の前面と当接する膨出部２９１が形成されている。尚、図示は省略するが、膨出部２９１の背面には略Ｌ字状の仮止め片が設けられており、裏枠セット２１５にスペーサー６０１が取付けられておらず、かつ、裏枠セット２１５に取付けられた接続金具２８１に対して基板搭載ユニット７０１が接続されていない状態（裏枠セット２１５のみの状態）において、接続金具２８１の差込部２８６を押えて仮止めできるようになっている。これにより、裏枠セット２１５の持ち運び等に際し、接続金具２８１のばたつきを抑えることができる。
【００６３】
次に、スペーサー６０１について説明する。スペーサー６０１は、裏枠セット２１５と基板搭載ユニット７０１との間の隙間を埋める透明樹脂製の部材である。すなわち、裏枠セット２１５と基板搭載ユニット７０１との間には電気配線等を設置するためのスペースが確保されるのであるが、このスペースを利用して不正な基板が設置されたり、パチンコ機１０内部に侵入させた針金等を、かかるスペースを通じて、裏枠セット２１５等に搭載される各種検知スイッチ等に接触させ、誤作動させたりするといった不正行為が行われるおそれがある。これに対し、スペーサー６０１を設けることにより、裏枠セット２１５と基板搭載ユニット７０１との間の余分なスペースを極力なくすことができ、上記不具合を抑制することができるのである。さらに、スペーサー６０１が開閉可能であることにより、例えば、スペーサー６０１が開閉不能である場合に比べ、裏枠セット２１５に搭載される各種検知スイッチや中継基板等を確実に、かつ、比較的容易に点検することができる。加えて、上記のように、スペーサー６０１は基板搭載ユニット７０１とは反対側に開放される（スペーサー６０１の軸支部は裏枠セット２１５の左側部、基板搭載ユニット７０１の軸支部は裏枠セット２１５の右側部）ことから点検作業が簡単なものとなる。さらには、スペーサー６０１及び基板搭載ユニット７０１を一度に（一つの動作で）開放することが不可能となることから、例えば、スペーサー６０１及び基板搭載ユニット７０１を開放させて裏枠セット２１５に搭載された検知スイッチ等に接触を図るといった不正行為を抑止することができる。
【００６４】
図１０に示すように、スペーサー６０１は、基板搭載ユニット７０１の搭載面を構成する搭載部材６１１と、搭載部材６１１の前面側を閉塞する蓋部材６５１とを備え、全体として略箱状をなしている。スペーサー６０１は、蓋部材６５１に設けられた係止部材６５２を、搭載部材６１１に形成された係止孔６１２に挿通して係止させることにより組み付けられている。尚、スペーサー６０１が搭載部材６１１と蓋部材６５１とにより構成されることから、例えば、機種変更等により裏枠セット２１５の形状は変化するが、基板搭載ユニット７０１の形状は変化しない場合には、裏枠セット２１５の背面形状に合わせて蓋部材６５１のみを新規に設計、製造するだけで済む。また、機種変更等により基板搭載ユニット７０１の形状は変化するが、裏枠セット２１５の形状は変化しない場合には、搭載部材６１１のみを新規に設計、製造するだけで済む。従って、生産性の向上等が図られる。
【００６５】
また、搭載部材６１１には前方に突出する筒状のねじ固定部６１３が設けられ、蓋部材６５１にはねじ固定部６１３に対応して後方に突出するボス（図示略）が設けられ、スペーサー６０１の組付け時に、ボスの先端部がねじ固定部６１３に挿通される。より詳しくは、ねじ固定部６１３は前後方向中間位置に隔壁を備え、当該隔壁にはねじ孔が形成されている。そして、スペーサー６０１が組み付けられることで、隔壁の前面に蓋部材６５１のボスの先端部が当接状態とされるとともに、隔壁のねじ孔及びボスのボス穴に対して破断ねじ６４１が螺着される。
【００６６】
尚、破断ねじ６４１は、ドライバー（工具）の先端と係合する十字穴（工具係合部）が形成された部位を取り除くことのできるねじであり、螺着後、十字穴が形成された部位が取り除かれることで、ドライバーにより破断ねじ６４１を取外すことが不可能となる。また、取付状態にある破断ねじ６４１は、ねじ固定部６１３の内側に位置して、搭載部材６１１の背面よりも前方に没入した状態となる。さらに、破断ねじ６４１の外径とねじ固定部６１３の内径とがほぼ同じになっており、破断ねじ６４１とねじ固定部６１３の内周壁部との間にはほとんど隙間がなくなっている。このような構成を採用する場合、破断ねじ６４１の端部をプライヤー等で挟んで回転させ、破断ねじ６４１を取外すといった行為を防止することができる。
【００６７】
また、蓋部材６５１の左部には左方に突出するアーム部６６１が設けられ、アーム部６６１の先端部には下方に突出する軸部６６２が設けられている。当該軸部６６２は、裏枠セット２１５の左端部に設けられた略円筒状の軸受け部２９５に挿通される。これにより、スペーサー６０１が裏枠セット２１５に回動可能に設けられる。尚、軸受け部２９５には、当該軸受け部２９５の内周側において、アーム部６６１の軸部６６２に形成された係止部６６３を係止する被係止部（図示略）が設けられており、軸受け部２９５に挿通された軸部６６２が抜けない構成となっている。また、軸受け部２９５は、裏枠セット２１５と一体形成されるため、型抜きの都合上前方に開口している。従って、裏枠セット２１５の遊技盤３０への取付前の状態においては、軸受け部２９５の被係止部を操作して、軸部６６２及び軸受け部２９５の係止状態を解除することができる。一方、裏枠セット２１５が遊技盤３０に取付けられると、軸受け部２９５が閉塞されるため、係止部６６３及び被係止部が非露出となって係止状態を解除することが不可能となり、スペーサー６０１を裏枠セット２１５から取外せない構成となっている。
【００６８】
尚、スペーサー６０１が開閉可能であることにより、例えば、スペーサー６０１が開閉不能である場合に比べ、裏枠セット２１５に搭載される各種部材（検知スイッチや中継基板等）を確実に、かつ、比較的容易に点検することができる。また、軸受け部２９５が裏枠セット２１５の左側部に設けられ、前記接続金具２８１が裏枠セット２１５の右側部に設けられることで、基板搭載ユニット７０１とは反対側にスペーサー６０１が開放されることから点検作業が簡単なものとなる。
【００６９】
また、搭載部材６１１の右端部には、前方に突出し、先端部に爪部が形成されたスペーサー係止部６１５が設けられている。一方、裏枠セット２１５の膨出部２９１の右部には前後に貫通する留孔２９２が形成されている。そして、スペーサー６０１を閉状態とすることで、留孔２９２にスペーサー係止部６１５が挿通され、係止される。尚、スペーサー係止部６１５は可撓性を有しており、スペーサー６０１は自由に開放可能である。
【００７０】
加えて、図１１に示すように、搭載部材６１１は、上辺部、下辺部、及び左辺部から後方に延出する上板状部６２１、下板状部６２２、及び左板状部６２３を備えており、基板搭載ユニット７０１は、その閉状態においてこれら板状部６２１、６２２、６２３の内側に収容される（図９参照）。また、上板状部６２２及び下板状部６２２には後方に突出するボックス係止部６２４が２つずつ（計４つ）突接されており、基板搭載ユニット７０１を閉状態とすることで、基板ボックス２６３の周縁部背面側が、ボックス係止部６２４によって係止される。
【００７１】
また、搭載部材６１１の背面右側（図１１では左側）には、サブ制御装置２６２と電源装置３１３とを繋ぐ電源供給用のケーブルコネクタを収容するためのケーブル用凹部６２５、及び、ケーブルをまとめておく抑え突起６２６が形成されている。従って、かかるケーブルコネクタにより主制御装置２６１を収容する基板ボックス２６３が覆われ、当該主制御装置２６１の視認性が妨げられないようになっている。結果として、不正行為等の早期発見が可能となる。
【００７２】
次に、基板搭載ユニット７０１について説明する。図１０、図１２、図１３等に示すように、基板搭載ユニット７０１は、制御部材としての主制御装置２６１と、主制御装置２６１を収容する基板ボックス２６３と、基板ボックス２６３を裏枠セット２１５（接続金具２８１）に接続するためのベース部材８０１とを備えている。
【００７３】
先ず、主制御装置２６１を収容する基板ボックス２６３について図１３、図１４を参照して説明する。尚、図１３では、主制御装置２６１のプリントパターン等の図示を省略している。
【００７４】
基板ボックス２６３は、主制御装置２６１（主基板）の裏面（前面）及び周縁部を覆うボックスベース２６３ａと、ボックスベース２６３ａの開口部を覆うボックスカバー２６３ｂとを備え、全体として左右に長い略直方体形状をなしている。
【００７５】
ボックスベース２６３ａは、主制御装置２６１の前面と略当接する底板７１１と、底板７１１の周縁部から後方に延び、主制御装置２６１の周縁部を囲う枠部７１２とを備えている。また、枠部７１２を構成する上辺部７１３及び下辺部７１４には、後方（ボックスカバー２６３ｂ側）に突出する複数の係止部７２１が形成されている。係止部７２１はＬ字状をなし、先端部が左方（図１３では右側）に凸となっている。さらに、上辺部７１３の下方、及び下辺部７１４の上方には、当該上辺部７１３及び下辺部７１４に沿って延びる案内リブ７２２が設けられており、上辺部７１３及び下辺部７１４と、それぞれに対応する案内リブ７２２との間において、ボックスベース２６３ａの長手方向（左右方向）に沿って延びる案内スリット７２３が形成されている。
【００７６】
また、枠部７１２を構成する右辺部７１５（図１３では左側の辺部）には、右方（ボックスベース２６３ａ外周側）に突出する第１封印部７３１が設けられている。本実施形態では、第１封印部７３１が上下に５つ設けられている。第１封印部７３１には後述する第２封印部７７１の前端部を収容するとともに、後述するカシメピン７９１を挿通可能なカシメ凹部７３２が形成されている。カシメ凹部７３２の底面は、右辺部７１５の後端部よりも前方に位置している。また、５つの第１封印部７３１のうち一番上と上から二番目との間、及び一番下と下から二番目との間には、ボックス側連結部としてのベース取付用ボス７３７が２つずつ（計４つ）形成されている（図１２等参照）。当該ベース取付用ボス７３７は有底状をなし、前方からのみねじを螺着可能となっている。尚、ベース取付用ボス７３７は、右辺部７１５及び第１封印部７３１に対して薄板状の連結部を介して接続されており、連結部を切断することにより、比較的容易にベース取付用ボス７３７をボックスベース２６３ａから別離させることができる。
【００７７】
枠部７１２を構成する左辺部７１６（図１３では右側の辺部）には、上下方向略中央部において左方（ボックスベース２６３ａ外周側）に突出するベース側板状部７４１、及び、ベース側板状部７４１の上方及び下方において左方に突出するベース側ねじ固定部７４３が設けられている。また、ベース側板状部７４１及びベース側ねじ固定部７４３には、厚み方向（前後方向）に貫通するねじ孔が形成されている。尚、左辺部７１６は、その突出長（前後幅）が主制御装置２６１（プリント基板）の厚み程度しかなく、ボックスカバー２６３ｂのスライド装着の妨げとならないようになっている。
【００７８】
ボックスカバー２６３ｂは、ボックスベース２６３ａの底板７１１（主制御装置２６１の後側面）と対向する底壁部７５１と、底壁部７５１の周縁部から前方に延びる周壁部７５２とを備え、前方に開口する略直方体形状をなしている。周壁部７５２を構成する上壁部７５３及び下壁部７５４の前部は、それぞれ上下に並ぶ一対の板状体により構成され、一対の板状体間において左右方向に延びる溝部７６１が形成されている。また、当該溝部７６１において、一対の板状部間を連結するようにして、上記係止部７２１を係止する略Ｌ字状の被係止部７６２が形成されている。また、上壁部７５３及び下壁部７５４をそれぞれ構成する一対の板状体のうちボックスカバー２６３ｂの内側に位置する板状体は、ボックスカバー２６３ｂの外側に位置する板状体よりも前方に延出しており、ボックスベース２６３ａとボックスカバー２６３ｂとの組付け状態において、ボックスベース２６３ａの案内スリット７２３に挿通されることとなる。
【００７９】
周壁部７５２を構成する右壁部７５５（図１３では左側の壁部）には、右方に突出する第２封印部７７１が設けられている。第２封印部７７１は上記第１封印部７３１に対応して上下に５つ設けられている。さらに、第２封印部７７１には前後に貫通するカシメ孔７７２（長孔）が形成されている。
【００８０】
また、周壁部７５２を構成する左壁部７５６（図１３では右側の壁部）には、ボックスベース２６３ａに設けられたベース側板状部７４１に対応してカバー側板状部７８１が設けられるとともに、ベース側ねじ固定部７４３に対応してカバー側ねじ固定部７８２が設けられている。尚、ボックスカバー２６３ｂの底壁部７５１の上部や下部には、コネクタ挿通用の開口部等が形成されている。
【００８１】
基板ボックス２６３の組付けは、先ず、係止部７２１と被係止部７６２とがぶつからないように、ボックスベース２６３ａに対して後方からボックスカバー２６３ｂを近付け、ボックスカバー２６３ｂの上壁部７５３及び下壁部７５４を構成する一対の板状体のうちボックスカバー２６３ｂの内側に位置する板状体の先端部（前端部）を、ボックスベース２６３ａに形成された案内スリット７２３に挿通させる。このとき、ボックスベース２６３ａの係止部７２１が、ボックスカバー２６３ｂの上壁部７５３及び下壁部７５４（上下一対の板状体間）に形成された溝部７６１に挿通される。続いて、ボックスベース２６３ａに対し、ボックスカバー２６３ｂを右方（図１３では左方）にスライドさせる。これにより、係止部７２１が被係止部７６２に係止され、図１４に示すように、基板ボックス２６３が組み付けられる。
【００８２】
また、図１４に示すように、基板ボックス２６３の組付け状態においては、ベース側ねじ固定部７４３とカバー側ねじ固定部７８２とが合致する（前後に重なる）とともに、ベース側板状部７４１とカバー側板状部７８１とが合致し、それぞれに形成されたねじ孔に対してねじが螺着される。これにより、ボックスベース２６３ａとボックスカバー２６３ｂとが固定される。
【００８３】
さらに、基板ボックス２６３の組付け状態においては、第２封印部７７１の前端部が第１封印部７３１のカシメ凹部７３２に嵌合し、第２封印部７７１のカシメ孔７７２とカシメ凹部７３２（カシメ凹部７３２の前部）とが連通する。そして、図１４に示すように、５つある第２封印部７７１及び第１封印部７３１のうちいずれかのカシメ孔７７２及びカシメ凹部７３２に対してカシメピン７９１を挿通させることで、ボックスベース２６３ａとボックスカバー２６３ｂとが連結される（基板ボックス２６３がかしめられ、主制御装置２６１が封印される）。
【００８４】
尚、カシメ孔７７２及びカシメ凹部７３２に挿通されたカシメピン７９１の先端部はカシメ凹部７３２の底面と略当接しており、ボックスベース２６３ａに対してボックスカバー２６３ｂを左方に相対移動（抜く方向にスライド）させようとしても、カシメピン７９１がボックスベース２６３ａの右壁部７１５外面（図１３では左側の面）に当接するため、かかる移動が規制されることとなる。また、カシメピン７９１がカシメ孔７７２に没入するため、カシメピン７９１を第１封印部７３１及び第２封印部７７１から抜くことが不可能となる。従って、基板ボックス２６３を開封するためには、カシメピン７９１が挿通された第２封印部７７１をボックスカバー２６３ｂから切除する必要が生じる。よって、基板ボックス２６３が開封されたことの履歴を残すことができる。従って、封印後の不正な開封を防止し、また万一不正開封が行われてもそのような事態を早期に且つ容易に発見可能とすることができる。
【００８５】
また、第１封印部７３１及び第２封印部７７１が複数（本例では５つ）設けられており、第１封印部７３１及び第２封印部７７１のいずれかにカシメピン７９１を挿通させることで主制御装置２６１を封印できる構成であることから、一旦開封した後でも再度開封・封印処理を行うこと自体は可能である。つまり、カシメピン７９１が挿通された第２封印部７７１を切除して基板ボックス２６３を開封した後、再度基板ボックス２６３を封印する場合は、未使用の第２封印部７７１及び第１封印部７３１にカシメピン７９１を挿通させればよい。従って、基板ボックス２６３から主制御装置２６１を取出して点検したり、故障した主制御装置２６１を単体で交換したりすることができる。
【００８６】
本実施形態では、第１封印部７３１及び第２封印部７７１により第２連結部（封印部材）が構成され、カシメピン７９１が連結部材に相当する。但し、第２連結部はボックスベース２６３ａとボックスカバー２６３ｂとを連結する（かしめる）構成であれば任意の構成が適用できる。
【００８７】
また、図１４に示すように、本実施形態では、基板ボックス２６３の左側（図１４では右側）において前後に重なるベース側板状部７４１及びカバー側板状部７８１に対し、略矩形状の封印シール７９３が貼り付けられている。より詳しくは、ベース側板状部７４１及びカバー側板状部７８１の外面は平坦面となっており、封印シール７９３は両板状部７４１、７８１を跨ぐようにして略コ字状に折り曲げられて貼付けられる。この場合、封印シール７９３により両板状部７４１、７８１のねじ孔が覆われる。
【００８８】
封印シール７９３は、裏面側に接着剤が塗布されるとともに、当該裏面に対してアンテナ付きＩＣチップ７９４が貼り付けられている。尚、アンテナ付きＩＣチップ７９４は封印シール７９３の裏面に貼り付けられているため、本来、図１４に示す方向から封印シール７９３を見てもアンテナ付きＩＣチップ７９４を視認することができないが、便宜上、アンテナ付きＩＣチップ７９４を視認することができるものとして図１４に図示する。
【００８９】
封印シール７９３に使用される粘着剤は、従来の封印シールと同様に、一旦貼り付けされた後に剥がされると封印シール７９３（ベースとなるシート状の封印シール本体）から剥がれる程度の粘着力を有している。従って、封印シール７９３が剥がされた場合には再度貼り付けすることが不可能なものであり、さらには粘着剤層の一部が板状部７４１、７８１側に残ることとなる。よって、封印シール７９３を不正に剥がした痕跡を残すことができる。尚、封印シール７９３の使用前の状態においては、封印シール７９３の裏面に剥離シートが貼り付けられており、封印シール７９３が不用意に貼りつかないようになっている。
【００９０】
アンテナ付きＩＣチップ７９４は、ＩＣチップ７９４ａ及びアンテナ部７９４ｂにより構成されており、長尺状のアンテナ部７９４ｂの中央付近にＩＣチップ７９４ａが配置されている。ＩＣチップ７９４ａは集積回路として形成されるものであり、制御部及びメモリー領域を有する。メモリー領域には、識別情報としてのＩＤ情報が格納されている。
【００９１】
ＩＣチップ７９４ａのＩＤ情報は、制御部によって呼び出されてアンテナ部７９４ｂから発信され、アンテナ部７９４ｂから発信されたＩＤ情報をリーダー／ライターとして形成されるスキャナー（読取体）で受信して読み取ることができる。詳細には、スキャナーからは周波数の微弱な電波で呼び出しが行われるようになっており、この電波で誘導電磁界が形成される。そして誘導電磁界内にアンテナ部７９４ｂが位置する程度に、スキャナーをアンテナ部７９４ｂに近接させると、アンテナ部７９４ｂに電磁誘導で起電力が発生する。ＩＣチップ７９４ａではこの起電力を電源として、メモリー領域に格納されているＩＤ情報を制御部で呼び出してアンテナ部７９４ｂから送信することができ、このように発信されたＩＤ情報をスキャナーで受信して読み取ることができる。
【００９２】
尚、封印シール７９３が基板ボックス２６３の左側に突出するベース側板状部７４１及びカバー側板状部７８１に貼り付けられることで、接続金具２８１や、主制御装置２６１の上部や下部に設けられるコネクタ接続部等の金属を使用した部品から封印シール７９３を極力離間させることができる（また、その他の制御基板等の金属製部品からも離間させることができる）。つまり、封印シール７９３の近傍にその他の金属製部品が存在することに起因して、その他の金属製部品に電力が発生してしまったり、アンテナ部７９４ｂに十分な起電力が発生しなくなってしまったりするおそれを防止することができる。
【００９３】
また、封印シール７９３を基板ボックス２６３の左側（内枠１２の開閉軸線側）に配置し、第１封印部７３１及び第２封印部７７１を基板ボックス２６３の右側（施錠装置６００側）に配置することで、内枠１２を完全に開放しなくても基板ボックス２６３の封印状態を確認できる上、第１封印部７３１及び第２封印部７７１の近傍に封印シール７９３が貼り付けられることに起因して、第１封印部７３１及び第２封印部７７１の視認性の低下を招いてしまうといった事態を防止することができる。さらに、ベース取付用ボス７３７が基板ボックス２６３の右側に配置されることで、ベース取付用ボス７３７の近傍に封印シール７９３が貼り付けられることに起因して、ベース部材８０１に対し基板ボックス２６３を着脱する際に、封印シール７９３が損傷してしまうといった事態を防止することができる。
【００９４】
さらに、アンテナ付きＩＣチップ７９４（アンテナ部７９４ｂ）は、封印シール７９３（封印シール本体）の一隅部側からその対角方向の隅部側に亘って斜めに配置されている。そして、封印シール７９３が両板状部７４１、７８１に跨って貼り付けられているのに伴って、アンテナ部７９４ｂも両板状部７４１、７８１に跨っている。
【００９５】
また、封印シール７９３には、アンテナ部７９４ｂの長手方向に沿って等間隔で並ぶ多数のアンテナ用切込み部７９６が形成されている。そして、両板状部７４１、７８１から封印シール７９３を剥がすと所定のアンテナ用切込み部７９６に対して集中的に応力がかかり、当該部位において封印シール本体、ひいてはアンテナ部７９４ｂが分断されるようになっている。アンテナ部７９４ｂが分断されるとＩＤ情報がアンテナ部７９４ｂから送信されなくなるので、ＩＤ情報をスキャナーで読み取ることができなくなる。よって、封印シール７９３を両板状部７４１、７８１からきれいに剥がして基板ボックス２６３を開封し、主制御装置２６１に対して不正を行った後に、基板ボックス２６３を封印して封印シール７９３を（接着剤等を用いて）再度きれいに貼ったとしても、当該不正行為を容易に発見することができる。
【００９６】
尚、封印シール７９３の表面には、紫外線などといった特定の波長の光が照射されることにより模様が表れるように特殊インクが塗布されるとともに、ＩＣチップ７９４ａに格納されているＩＤ情報と対応づけてられた複数の数字、パチンコ機１０の名称（機種名）、及びパチンコ機１０を製造した遊技機メーカー名等が記載されている。
【００９７】
また、本実施形態では、封印シール７９３が貼り付けられたベース側板状部７４１及びカバー側板状部７８１に対し、封印シール７９３を覆うようにして、樹脂よりなるシールカバー７９８が装着されている。一般に、パチンコ機１０等の遊技機は、シュリンクフィルムによりパッケージされて各遊技ホール等に納入される。ところが、シュリンクフィルムに熱をかけて収縮させる際に、かかる熱によって封印シール７９３のＩＣチップ７９４ａが故障してしまうおそれがある。これに対し、ベース側板状部７４１及びカバー側板状部７８１にシールカバー７９８を装着して封印シール７９３を保護することにより、かかる不具合を抑制している。また、シールカバー７９８の存在により、搬送等に際して、封印シール７９３が破損してしまうといった事態を抑止することができる。尚、封印シール７９３の温度が上がり過ぎないようにするために、封印シール７９３をパチンコ機１０の背面側に露出しないように設けることが考えられるが、この場合には、ＩＤ情報が読取りにくくなってしまったり、ＩＤ情報の読取り作業性の低下を招いてしまったりするおそれがあるため、シールカバー７９８を装着してでもパチンコ機１０の背面側に露出した位置に設けることが望ましい。
【００９８】
また、シールカバー７９８は、上壁部及び下壁部において、爪部を有する係止片部７９９ａを備えており、板状部７４１、７８１への装着状態において、係止片部７９９ａの爪部がカバー側板状部７８１の上面及び下面から突出する突部７９９ｂに係止される。尚、図示は省略するが、係止片部７９９ａの爪部の突部７９９ｂとの係止面はテーパ状に構成されており、例えば、当該係止面が、シールカバー７９８の装着方向と直交して延びている場合に比べ、シールカバー７９８が若干抜け易くなっている。つまり、シールカバー７９８は、少なくともシュリンクフィルムのパッケージの際に装着されていればよく、上記のように、シールカバー７９８を若干抜け易くしておくことで、検査時等にシールカバー７９８を取外して封印シール７９３を確認し易くなる。
【００９９】
次に、ベース部材８０１について図１２、図１５、図１６等を参照して説明する。ベース部材８０１は、透明樹脂材料により構成され、基板ボックス２６３の前面右側に重なるようにして取付けられる。但し、ベース部材８０１の横幅は、ボックスベース２６３ａの横幅の１／６程度となっている。これにより、裏枠セット２１５に取付けられた基板搭載ユニット７０１を開放すると、基板ボックス２６３内に収容された主制御装置２６１の裏側のほぼ全体を視認することができる。従って、主制御装置２６１の裏側に不正な基板を隠して設置する等の行為を発見することができる。尚、図１２は、分解した状態にある基板搭載ユニット７０１（基板ボックス２６３及びベース部材８０１）等を示す正面図である。図１５は、接続金具２８１に接続された状態のベース部材８０１を示す背面図である。図１６（ａ）はベース本体８１１の背面図であり、図１６（ｂ）はベースカバー８５１の正面図であり、図１６（ｃ）は係止金具８７１の斜視図である。
【０１００】
図１５等に示すように、ベース部材８０１は、後方に開口する略直方体形状のベース本体８１１と、ベース本体８１１の背面側に取付けられるベースカバー８５１とを備えている。図１６（ａ）に示すように、ベース本体８１１は、ベース上壁部８１３、ベース下壁部８１４、ベース右壁部８１５（図１６（ａ）では左側の壁部）、及びベース左壁部８１６からなるベース枠８１２と、ベース枠８１２の前面側（図１６（ａ）では奥側）を閉塞するベース板８１８とを備えている。ベース枠８１２のベース右壁部８１５には、上下方向中央部を含む部位において切欠き部８１５ａが形成されている。当該切欠き部８１５ａの上下幅は、接続金具２８１の差込部２８６（差込部２８６の先端側の部位）の上下幅とほぼ同じとなっている。また、ベース右壁部８１５のうち切欠き部８１５ａの上縁部及び下縁部と、ベース左壁部８１６とを連結する上下一対の隔壁部８１９が設けられている。加えて、一対の隔壁部８１９には、左右方向略中央部において、互いに離間する方向に凸となるようにそれぞれ段差部８１９ａが形成され、当該段差部８１９ａの内側において、上下に貫通する嵌合孔部８２２が形成された嵌合片８２１が設けられている。
【０１０１】
図１６（ｂ）に示すように、ベースカバー８５１は、前方に開口する略箱状をなし、上面及び下面からベースカバー８５１の外側（上方又は下方）に突出する嵌合凸部８５２を備えている。そして、図１５に示すように、当該上下一対の隔壁部８１９の間にベースカバー８５１を嵌め込むことで、嵌合凸部８５２が嵌合孔部８２２に挿通、係止され、ベースカバー８５１がベース本体８１１に取付固定される。また、ベース本体８１１にベースカバー８５１が取付けられることで、ベース本体８１１（上下一対の隔壁部８１９、ベース左壁部８１６、及びベース板８１８）とベースカバー８５１との間に、接続金具２８１の差込部２８６を挿通可能な中空部（以下、結合部８６１と称する）が形成される。尚、嵌合片８２１は、撓み変形させることができる構成となっているもののほとんど可撓性はなく、嵌合凸部８５２を嵌合孔部８２２に嵌め込むと、基本的に（嵌合片８２１や嵌合凸部８５２を破壊しない限り）ベースカバー８５１をベース本体８１１から取外せなくなる。また、嵌合片８２１の後端部（図１５では手前側）には、前方に向けてベースカバー８５１側（下方又は上方）に傾斜する傾斜面が形成されている。これにより、ベースカバー８５１をベース本体８１１に嵌め込む際に、嵌合凸部８５２が当該傾斜面に案内され、ベースカバー８５１をベース本体８１１に嵌め込みやすくなる。
【０１０２】
また、結合部８６１内側には、１枚の金属板を折り曲げ形成することで構成される係止金具８７１が埋設されている。図１６（ｃ）に示すように、係止金具８７１は、板状の金具ベース８７２と、金具ベース８７２の右縁部（図１６（ｃ）では左側）から後方に延びる折返し部８７３と、折返し部８７３の上辺部及び下辺部から左方（図１６（ｃ）では右側）に向けて互いの距離を次第に広げるようにして水平方向に対し傾斜しつつ延びる一対の規制片部８７４（係止片）とを備えている。係止金具８７１が金属製であることにより、規制片部８７４は適度な可撓性、弾性、及び剛性を有している。本実施形態では、結合部８６１及び係止金具８７１が被係合部を構成する。
【０１０３】
ここで、ベース本体８１１及びベースカバー８５１のうち係止金具８７１の取付けに関連する構成について説明する。まず、ベース本体８１１側を説明する。
【０１０４】
図１６（ａ）に示すように、ベース本体８１１には、一対の隔壁部８１９間のベース板８１８背面において、ベース左壁部８１６から金具ベース８７２の横幅と同じ長さだけ離間した位置において上下方向に延びる支持片部８３１が設けられるとともに、水平方向に延びる４条のリブ８３２が形成されている。４条のリブ８３２のうち一番上及び一番下のリブ８３２は支持片部８３１の上方又は下方において、ベース左壁部８１６から右方（図１６（ａ）では左方）に延設され、上から二番目及び三番目のリブ８３２は支持片部８３１の上端部又は下端部から右方に延設されている。一番上のリブ８３２と一番下のリブ８３２との間の距離は、係止金具８７１の金具ベース８７２の上下幅とほぼ同じとなっている。ベース部材８０１の組付け状態においては、係止金具８７１の金具ベース８７２が、支持片部８３１と、ベース左壁部８１６と、一番上及び一番下のリブ８３２とで囲まれる領域に嵌め込まれ、折返し部８７３と支持片部８３１の左面とが面当接する。
【０１０５】
続いて、ベースカバー８５１側を説明する。図１６（ｂ）に示すように、ベースカバー８５１の前面には、ベース部材８０１の組付け状態において、前記ベース本体８１１の支持片部８３１とベース左壁部８１６との間に位置し、折返し部８７３の左面と略当接する押え部８５５が設けられている。当該押え部８５５の存在により、折返し部８７３の変形が抑制される。
【０１０６】
次に、ベース部材８０１と接続金具２８１との接続について説明する。図１２、図１５等に示すように、接続金具２８１の差込部２８６の先端部には、上部及び下部から差込部２８６の延出方向側に突出する上下一対の鉤部２８７が設けられている。上下一対の鉤部２８７の先端部には、互いに対向する向きに突出する鉤爪部２８７ａ（係止爪部）が形成されている。
【０１０７】
そして、接続金具２８１の差込部２８６を結合部８６１に差込む（挿通させる）と、一対の規制片部８７４がそれぞれ鉤部２８７の先端部に押されて互いの距離を狭めるようにして傾倒する。さらに、差込部２８６をベース左壁部８１６に当接するまで差し込むと、図１５に示すように、差込部２８６の鉤爪部２８７ａが規制片部８７４よりも左方に位置し、一対の規制片部８７４が自身の弾性力により拡開する。これにより、鉤爪部２８７ａが規制片部８７４に係止され、ベース部材８０１（基板搭載ユニット７０１）が接続金具２８１（裏枠セット２１５）に取付けられる。尚、本実施形態では、係止金具８７１が結合部８６１の内側に配設され、差込部２８６と係止金具８７１との係合部分（鉤爪部２８７及び規制片部８７４）が結合部８６１により覆われることから、結合部８６１（ベース本体８１１の上下一対の隔壁部８１９、ベース左壁部８１６、及びベース板８１８とベースカバー８５１）により被覆手段が構成される。
【０１０８】
尚、図１６（ｂ）に示すように、ベースカバー８５１には水平方向に延びる５条のリブ８５７が設けられ、ベース部材８０１の組付け状態において、中央の３つのリブ８５７の左端部（図１６（ｂ）では右側の端部）が支持片部８３１の右面と略当接する構成となっている。これにより、接続金具２８１（差込部２８６）をベース部材８０１（結合部８６１）から無理やり引き抜こうとして、係止金具８７１の折返し部８７３を支持する支持片部８３１に対して右向き（図１６（ａ）では左向き）に力がかけられた場合に、支持片部８３１が破損してしまうといった事態を抑止している。
【０１０９】
また、結合部８６１の開口部（入口）に対応するベースカバー８５１の右縁部前面側及びベース板８１８の右縁部後面側は、差込部２８６を結合部８６１に挿通させやすいように、結合部８６１の外側（図１５では左側）に向けて互いの距離を広げるようにして傾斜する傾斜部として構成されている。さらに、ベースカバー８５１及びベース板８１８の傾斜部間の距離は、差込部２８６の厚みとほぼ同じに構成されている。これにより、結合部８６１の開口部から針金等を侵入させ、接続金具２８１と係止金具８７１との係止状態を解除させるといった事態を防止することができる。尚、上記のように、接続金具２８１とベース部材８０１との接続に際し、作業者が鉤爪部２８７ａや規制片部８７４を直接触って動かす必要がないことから、係止状態にある鉤爪部２８７ａ及び規制片部８７４への接触を不可能な構成としても、接続金具２８１とベース部材８０１とを確実に接続することができる。
【０１１０】
また、本実施形態では、上記のように１枚の金属板を折り曲げ形成することで係止金具８７１が構成される。より詳しくは、金属板の一側部側をほぼ垂直に（約９０度）折り曲げることで金具ベース８７２と折返し部８７３とが形成される。また、折返し部８７３を形成するために折り返した部位のうち、金具ベース８７２との境界部において両側部（図１６（ｃ）では上下端部）に切欠き部を形成する。本実施形態では、当該切欠き部は、単に切込みを入れるだけでなく、前記折り返し部位を前後方向（図１６（ａ）の紙面垂直方向）において所定幅切り欠くことで形成される。そして、前記切欠き部が形成された前記折り返し部位の両側部を、前記折り返し部位の折り返し線と直交する方向を折り返し線として、金具ベース８７２側に約４５度程度折り曲げる。これにより、一対の規制片部８７４が形成される。また、上記切欠き部の存在により、金具ベース８７２と規制片部８７４との間に隙間が形成されるとともに、ベース本体８１１とベースカバー８５１との組付け状態において、規制片部８７４とベースカバー８５１の前面との間に隙間が形成されることとなる。このため、ベース部材８０１と接続金具２８１（裏枠セット２１５）との接続状態において、結合部８６１の開口部から結合部８６１の内部へ線材等を侵入させ、規制片部８７４を操作して（変形させて）、係止金具８７１（規制片部８７４）と差込部２８６の鉤部２８７（鉤爪部２８７ａ）との係止状態を解除してしまうといった行為を抑制することができる。
【０１１１】
尚、本実施形態では、規制片部８７４の強度の低下を抑制したり、差込部２８６の軽量化を図ったりするべく、規制片部８７４の前後幅（図１６（ａ）の紙面垂直方向における幅）が差込部２８６の厚みよりも大きく構成されるが、例えば、規制片部８７４の前後幅と差込部２８６の厚みとがほぼ同じ又はそれ以下となるよう構成し、係止金具８７１と接続金具２８１との係止状態において、規制片部８７４が差込部２８６からあまりはみ出さない構成としてもよい。この場合、結合部８６１の内部へ侵入させた線材等により規制片部８７４を操作して係止金具８７１と差込部２８６との係合状態を解除してしまうといった行為を一層確実に防止することができる。尚、少なくとも規制片部８７４が差込部２８６の背面側（金具ベース８７２と対向する面とは反対側の面側）にはみ出さないようにしておけば、上記のような不正対策を十分に講ずることができる。すなわち、基板搭載ユニット７０１が閉状態である場合、結合部８６１の内部へ線材等を侵入させることができたとしても、結合部８６１に挿通された差込部２８６により、規制片部８７４のうち差込部２８６の前面側（金具ベース８７２と対向する面側）に位置する部位への接触が阻害される。このため、当該部位に接触を図るためには、基板搭載ユニット７０１を開状態としなければならず、しかも、基板搭載ユニット７０１を開状態としたとしても、ベース部材８０１とスペーサー６０１とが近接しているため、線材等の操作が非常に困難なものとなる。
【０１１２】
さらに、係止金具８７１の金具ベース８７２は差込部２８６よりも薄肉（例えば、差込部２８６の厚みの１／３程度）であるため、結合部８６１の内部へ線材等を侵入させることができたとしても、金具ベース８７２とベース本体８１１のベース板８１８との間に線材等を潜り込ませることで、係止金具８７１を操作して（変形させて）、係止金具８７１と接続金具２８１との係止状態を解除してしまうといった行為を抑制することができる。また、金具ベース８７２はベース部材８０１の前面側であるベース本体８１１のベース板８１８に当接状態とされるため、基板搭載ユニット７０１が閉状態である場合、結合部８６１の内部へ線材等を侵入させることができたとしても、結合部８６１に挿通された差込部２８６により当該金具ベース８７２への接触が阻害される。このため、金具ベース８７２に接触を図るためには、基板搭載ユニット７０１を開状態としなければならず、しかも、基板搭載ユニット７０１を開状態としたとしても、ベース部材８０１とスペーサー６０１とが近接しているため、線材等の操作が非常に困難なものとなる。このような構成によっても、係止金具８７１と接続金具２８１との係止状態を解除してしまうといった行為を抑制することができる。
【０１１３】
尚、金具ベース８７２は、金具ベース８７２がベースカバー８５１の底面（前面）に当接状態で設けられることとしてもよい。この場合、基板搭載ユニット７０１の閉状態においては、結合部８６１の内部へ線材等を侵入させることができたとしても、結合部８６１に挿通された差込部２８６により、規制片部８７４への接触が阻害される。このため、規制片部８７４に接触を図るためには、基板搭載ユニット７０１を開状態としなければならず、しかも、基板搭載ユニット７０１を開状態としたとしても、ベース部材８０１とスペーサー６０１とが近接しているため、線材等の操作が非常に困難なものとなる。当該構成を採用する場合にも、係止金具８７１と接続金具２８１との係止状態を解除してしまうといった行為を抑制することができる。さらに、かかる構成を採用する場合には、基板搭載ユニット７０１を開状態とすることで、基板搭載ユニット７０１の前面側から係止金具８７１と接続金具２８１との係止状態（結合部分）を目視することができる。従って、係止金具８７１と接続金具２８１との係止状態を解除してしまうといった不正行為の有無を比較的容易に確認することができる。
【０１１４】
次に、ベース部材８０１と基板ボックス２６３との接続に関する構成について説明する。図１６（ａ）等に示すように、ベース枠８１２のベース上壁部８１３及びベース下壁部８１４の右部（図１６（ａ）では左側の部位）には、後端部においてベース本体８１１内側に突出するボックス取付け爪８８２を備える係止片部８８１が設けられている。
【０１１５】
一方、図１２に示すように、基板ボックス２６３の前面、すなわちボックスベース２６３ａの前面には、上下の係止片部８８１に対応して前方に突出する上下一対の接続片部８９１が設けられている。上下一対の接続片部８９１は、その前端部において互いに対向する向き（上方又は下方）に突出する支持爪８９２が形成されている。
【０１１６】
そして、上下一対の接続片部８９１を、係止片部８８１に当接しないようにベース部材８０１（ベース本体８１１）の内側に挿通した後、基板ボックス２６３をベース部材８０１に対して右側に相対移動（スライド）させることで、接続片部８９１の支持爪８９２が係止片部８８１のボックス取付け爪８８２に係止される。これにより、基板ボックス２６３とベース部材８０１とが組付けられる。
【０１１７】
また、図１２等に示すように、ベース枠８１２のベース左壁部８１６には、後縁部（図１２の奥側の端縁）から左方に延出する位置決めリブ８８４が設けられている。これに対し、ボックスベース２６３ａの前面には、基板搭載ユニット７０１の組付け状態（基板ボックス２６３とベース部材８０１との組付け状態）において、位置決めリブ８８４の先端部と当接する支持リブ８９４及び支持突起８９５が設けられている。また、支持突起８９５の先端部には右方に突出する係止爪８９６が形成されており、基板搭載ユニット７０１の組付け状態においては、位置決めリブ８８４の前面が係止爪８９６に係止される。また、ボックスベース２６３ａの前面には、基板搭載ユニット７０１の組付け状態において、ベース部材８０１の上面又は下面に当接する上下一対のずれ防止突起８９７が設けられている。
【０１１８】
ベース枠８１２のベース右壁部８１５の外面には、ボックスベース２６３ａに設けられたベース取付用ボス７３７に対応するベース側連結部としてのボックス固定部８８６が、結合部８６１の上方及び下方において２つずつ（計４つ）設けられている。ボックス固定部８８６は、ベース枠８１２のベース右壁部８１５の後端部から右方に突出し、前後に貫通するねじ孔８８６ａを有する板部８８６ｂと、板部８８６ｂの周縁部から前方に延びるねじ頭収容部８８６ｃ（図１２参照）と、板部８８６ｂの周縁部から後方に延びるボス挿通部８８６ｄ（図１６（ａ）参照）とを備えている。ボス挿通部８８６ｄは左方に開口しており、ベース部材８０１と基板ボックス２６３との組み付けに際し、当該開口部からベース取付用ボス７３７の前端部を当該ボス挿通部８８６ｄの内側に挿通可能となっている。
【０１１９】
そして、上記のように基板搭載ユニット７０１が組付けられると、ボックス固定部８８６（板部８８６ｂ）のねじ孔８８６ａ及びベース取付用ボス７３７のボス穴が前後に連通するので、当該ねじ孔８８６ａ及びボス穴に対し、ベース部材８０１の前方から破断ねじ８８７（図１２参照）を螺着する。本実施形態では、４つあるベース取付用ボス７３７及びボックス固定部８８６のうち２つに対して破断ねじ８８７がそれぞれ螺着される。螺着後、十字穴が形成された部位が除去された破断ねじ８８７は、ねじ頭収容部８８６ｃの内側に没入するとともに、破断ねじ８８７の周縁部とねじ頭収容部８８６ｃとの間にはほとんど隙間がなくなっている。このように、破断ねじ８８７によりベース部材８０１と基板ボックス２６３とが連結されることで、破断ねじ８８７が螺着されたボックス固定部８８６及びベース取付用ボス７３７をベース部材８０１及び基板ボックス２６３から切除しない限り、基板ボックス２６３をベース部材８０１から取外せなくなっている。本実施形態では、ボックス固定部８８６及びベース取付用ボス７３７が第１連結部を構成し、破断ねじ８８７が連結部材に相当する。
【０１２０】
ちなみに、ボックス固定部８８６及びベース取付用ボス７３７は４つずつ設けられ、ベース部材８０１と基板ボックス２６３との組付後に２つのボックス固定部８８６及びベース取付用ボス７３７が連結される。このため、例えば、破断ねじ８８７により連結されたボックス固定部８８６及びベース取付用ボス７３７を破壊することで基板ボックス２６３をベース部材８０１から取外した場合であっても、未使用のボックス固定部８８６及びベース取付用ボス７３７を利用して、再度基板ボックス２６３とベース部材８０１とを連結することができる。従って、ベース部材８０１から基板ボックス２６３を取外して点検したり、故障した主制御装置２６１を基板ボックス２６３単位で交換したりすることができる。また、例えば、遊技ホールにおいて主制御装置２６１が故障した場合に、主制御装置２６１を基板ボックス２６３ごと交換することによって、主制御装置２６１の搬送に際し主制御装置２６１が損傷してしまうといった事態を防止したり、搬送途中で不正な主制御装置に取り替えられてしまうといった事態を抑制したりすることができる。
【０１２１】
尚、本実施形態では、破断ねじ８８７が螺着されるボックス固定部８８６及びベース取付用ボス７３７により第１連結部が構成されが、第１連結部は基板ボックス２６３とベース部材８０１とを連結する（かしめる）構成であれば任意の構成が適用できる。
【０１２２】
以上のように構成される裏枠セット２１５、スペーサー６０１、及び基板搭載ユニット７０１は、それぞれ部品メーカー等で形成された後、遊技機メーカーに納入されて組み付けられる。すなわち、裏枠セット２１５に対して接続金具２８１を取付けた後、裏枠セット２１５を遊技盤３０の背面に取付けるとともに、スペーサー６０１を裏枠セット２１５に取付ける。その後、裏枠セット２１５に設けられた接続金具２８１の差込部２８６をベース部材８０１の結合部８６１に挿通させることで、基板搭載ユニット７０１が裏枠セット２１５に取付けられることとなる。
【０１２３】
本実施形態では、主制御装置２６１等の各種制御装置がそれぞれ基板ボックスに収容された状態で、基板メーカーから遊技機メーカーに納入される。これにより、基板メーカーから遊技機メーカーに搬送される際の制御装置の保護や、搬送途中に主制御装置２６１が不正なものに取り替えられるといった行為の抑制を図ることができる。その上、制御装置の形状と基板ボックスの形状とが一致しない場合等において迅速に対処することができ、効率がよい。
【０１２４】
さらに、本実施形態では、基板メーカーの工場にて主制御装置２６１を収容する基板ボックス２６３に対しベース部材８０１が取付けられる。つまり、主制御装置２６１は、基板ボックス２６３に収容され、さらに、当該基板ボックス２６３にベース部材８０１が取付けられた状態（基板搭載ユニット７０１単位）で、基板メーカーから遊技機メーカーに納入される。従って、遊技機メーカーの工場では、裏枠セット２１５の接続金具２８１をベース部材８０１の結合部８６１に挿通させるだけで、基板搭載ユニット７０１のパチンコ機１０への取付けが完了する。
【０１２５】
ところで、一般にパチンコ機は、例えば、メインタイトル（機種名）、デザイン（前面枠セット１４の前面のデザイン、遊技盤３０に設けられる入賞口や役物等のデザインや配置）、及び、装飾図柄表示装置４２における表示態様（図柄、キャラクタ、背景等のデザインやリーチ態様等）等を変更することで、異なる機種として多数のパチンコ機が製造される。また、同一機種（メインタイトル、デザイン、及び、装飾図柄表示装置４２における表示態様等がほぼ同じ）ではあるが、例えば、大当たり状態となる当選確率（大当たり確率）や、大当たり状態に際して払出される遊技球の総数等のスペックの異なるパチンコ機がシリーズとして複数製造される場合がある。このように、機種やスペックが異なれば、主制御装置２６１についてはそれぞれ新規に製造する必要があるのではあるが、機種やスペックが異なる場合であっても、基本構成（パチンコ機１０の具備する部材）はほぼ同じである場合が多く、近年、パチンコ機１０の背面側の構成については、生産効率の向上や製造コストの削減を図るべく、極力部材の共通化が図られている。しかしながら、基板ボックス２６３やスペーサー６０１等の形状を共通化した場合、パチンコ機１０に対して、その他のパチンコ機に搭載されるはずの主制御装置が搭載されてしまうといった事態（誤組付け）を招くことが懸念される。
【０１２６】
これに対し、本実施形態では、パチンコ機１０に対する主制御装置２６１の誤組付けを防止する構成を具備している。以下、誤組付けの防止に関する構成について説明する。
【０１２７】
さて、図１１等に示すように、スペーサー６０１の背面、すなわち、搭載部材６１１には、複数（本実施形態では上下に５つ並びで左右に２列）の適合孔部９０１が形成されている。但し、搭載部材６１１は、全ての適合孔部９０１がそれぞれ閉塞部材９０３によって閉塞された状態で型成形される。より詳しくは、閉塞部材９０３の周縁部にはニッパー等の工具の先端部を挿通させることのできる切除用スリット９０４（切除孔）が近接して４つ形成されており、搭載部材６１１の成形後、隣接する切除用スリット９０４間の部位を破断することによって閉塞部材９０３を切除し、適合孔部９０１を開口させるのである。また、複数ある適合孔部９０１のうち開口されることとなる適合孔部９０１はパチンコ機のスペック毎（主制御装置２６１が異なる毎）に定められ、本実施形態では、複数ある適合孔部９０１のうちいずれか１つが開口される。加えて、複数ある適合孔部９０１に個別に対応してそれぞれ異なる記号（数字、英文字等）が順序立てて（例えば１，２，３，・・・、Ａ，Ｂ，Ｃ，・・・）付されており、これにより、どの適合孔部９０１を開口させればよいかをより確実に把握できるようになる。尚、本実施形態では、閉塞部材９０３に数字が付されている。
【０１２８】
一方、図１０、図１２等に示すように、基板ボックス２６３の前面、すなわち、ボックスベース２６３ａには、前方に突出する第１適合突起９０７が設けられている。当該第１適合突起９０７の形成位置に関しても、パチンコ機のスペック毎に定められており、当該パチンコ機１０に対応する主制御基板２６１を搭載した基板搭載ユニット７０１が裏枠セット２１５に取付けられている場合には、開状態にある基板搭載ユニット７０１を閉方向に移動させることで、第１適合突起９０７が適合孔部９０１に挿通され（侵入し）、基板搭載ユニット７０１を完全に閉状態とすることができる。もちろん、第１適合突起９０７の形成位置と開口した適合孔部９０１の位置とが一致（合致）しない場合には、基板搭載ユニット７０１を閉状態とすることができない。
【０１２９】
尚、ボックスベース２６３ａの前面には第１適合突起９０７の側方において記号（数字、英文字等）が付されており、この記号は、当該第１適合突起９０７に対応する適合孔部９０１（適合孔部９０１を閉塞していた閉塞部材９０３）に付された記号と一致する。つまり、当該パチンコ機１０に対応する主制御基板２６１を搭載した基板搭載ユニット７０１が裏枠セット２１５に取付けられている場合、第１適合突起９０７の側方に付された記号と、開口された適合孔部９０１を閉塞していた閉塞部材９０３に付された記号とが一致することとなる。
【０１３０】
さらに、図１１に示すように、搭載部材６１１の上板状部６２１及び下板状部６２２には、後方に開口するＶ字状の適合凹部９１１が形成されている。当該適合凹部９１１の形成位置は、パチンコ機の機種毎に定められている。但し、適合凹部９１１の形成位置はパチンコ機のシリーズで統一される。加えて、上板状部６２１及び下板状部６２２には、適合凹部９１１の近傍において記号（図示略）が付されている。
【０１３１】
一方、図１２に示すように、基板ボックス２６３の上面を構成するボックスカバー２６３ｂの上壁部７５３、及び基板ボックス２６３の下面を構成するボックスカバー２６３ｂの下壁部７５４には、基板ボックス２６３の外周側（上方又は下方）に突出する第２適合突起９１７が形成されている。第２適合突起９１７の形成位置に関しても、パチンコ機の機種毎に定められており、当該パチンコ機１０に対応する主制御基板２６１を搭載した基板搭載ユニット７０１が裏枠セット２１５に取付けられている場合には、開状態にある基板搭載ユニット７０１を閉方向に移動させることで、第２適合突起９１７が適合凹部９１１に挿通され、基板搭載ユニット７０１を完全に閉状態とすることができる。もちろん、第２適合突起９１７の形成位置と適合凹部９１１の形成位置とが一致しない場合には、基板搭載ユニット７０１を閉状態とすることができない。加えて、第２適合突起９１７には記号（図示略）が付されており、この記号は、第２適合突起９１７の形成位置と適合凹部９１１の形成位置とが一致する場合、上板状部６２１及び下板状部６２２の適合凹部９１１の近傍に付された記号と一致する。
【０１３２】
尚、基板搭載ユニット７０１の閉状態において、第２適合突起９１７が搭載部材６１１の上板状部６２１及び下板状部６２２から外方に突出しない構成となっている。本実施形態では、第１適合突起及び第２適合突起が第１適合部を構成し、適合孔部９０１及び適合凹部９１１が第１被適合部を構成する。
【０１３３】
また、本実施形態では、図１２に示すように、ベース部材８０１の位置決めリブ８８４に対し、結合部８６１（図１５参照）の上方及び下方において１箇所ずつ（計２箇所に）切込み凹部９２１が形成されている。当該切込み凹部９２１の形成位置はパチンコ機のスペック毎に定められている。尚、位置決めリブ８８４の前面には後方に延びる仕切り壁９２３が複数形成されており、この仕切り壁９２３によって区切られた部位のうちいずれかの部位が切り欠き形成されることで、上記切込み凹部９２１が形成される。この仕切り壁９２３によって区切られた部位には個別に対応してそれぞれ異なる記号（図示略）が順序立てて付されており、切込み凹部９２１が形成された部位に付されているはずの記号が欠番となっている。
【０１３４】
一方、ボックスベース２６３ａの前面に設けられた支持リブ８９４には、右方に突出する上下一対の第３適合突起９２７が設けられている。第３適合突起９２７の形成位置についてもパチンコ機のスペック毎に定められている。そして、組付けられることとなる基板ボックス２６３及びベース部材８０１がともに当該パチンコ機１０に対応する場合には、組付けに際し、第３適合突起９２７を切込み凹部９２１に挿通させることができる。これにより、ボックス固定部８８６のねじ孔８８６ａ及びベース取付用ボス７３７のボス穴が位置合わせされ、当該ねじ孔８８６ａ及びボス穴に対して破断ねじ８８７を螺着して基板ボックス２６３及びベース部材８０１を固定する（かしめる）ことができる。もちろん、第３適合突起９２７の形成位置と切込み凹部９２１の形成位置とが一致しない場合には、第３適合突起９２７が位置決めリブ８８４の先端部に当接し、基板搭載ユニット７０１（基板ボックス２６３とベース部材８０１と）を確実に組付けることができない（ボックス固定部８８６のねじ孔８８６ａと、ベース取付用ボス７３７のボス穴とが一致しない）構成となっている。加えて、第３適合突起９２７の前面には記号（図示略）が付されており、この記号は、当該第３適合突起９２７に対応する切込み凹部９２１に対応した記号（基板ボックス２６３とベース部材８０１とが対応していれば欠番となっている）と一致する。本実施形態では第３適合突起９２７が第２適合部を構成し、切込み凹部９２１が第２被適合部を構成する。
【０１３５】
本実施形態では、ボックスベース２６３ａの前面に第１適合突起９０７及び第３適合突起９２７が設けられ、第２ボックスカバー２６３ｂの上壁部７５３及び下壁部７５４に第２適合突起９１７が設けられている。つまり、基板ボックス２６３の前面側から、第１適合突起９０７、第２適合突起９１７、及び第３適合突起９２７を視認可能となっている。
【０１３６】
以上詳述したように、本実施形態によれば、主制御装置２６１（主基板）の不正対策として、開封した場合に所定の痕跡（第２封印部７７１をボックスカバー２６３ｂから切除した跡）が形成される基板ボックス２６３に主制御装置２６１を収容することから、基板ボックス２６３を開封し、主制御装置２６３を取替えてしまうといった不正行為を抑止することができる。また、基板ボックス２６３をベース部材８０１から取外した場合に基板搭載ユニット７０１において所定の痕跡（ボックス固定部８８６及びベース取付用ボス７３７をベース部材８０１及び基板ボックス２６３から切除した跡）が形成されるため、基板ボックス２６３を取外して不正な主制御装置を収容した基板ボックスを取付けてしまうといった不正行為を抑止することができる。さらに、接続金具２８１の鉤部２８７（鉤爪部２８７ａ）を係止する係止金具８７１（規制片部８７４）が結合部８６１の内側に設けられることから、係止状態にある鉤部２８７及び係止金具８７１への接触を困難又は不可能とするこができ、ベース部材８０１を接続金具２８１から取外すといった行為を防止することができる。従って、基板搭載ユニット７０１（基板ボックス２６３）を取外して不正な主制御装置２６１を搭載した基板ボックス２６３を取付けてしまうといった不正行為を抑止することができる。
【０１３７】
また、生産性低下の対策として、接続金具２８１の差込部２８６をベース部材８０１の結合部８６１に挿通させるだけで（特別な工具を必要とすることなくワンタッチで）、鉤部２８７（鉤爪部２８７ａ）が係止金具８７１（規制片部８７４）に係止され、基板搭載ユニット７０１を裏枠セット２１５に取付けることができる構成となっている。つまり、従来、ベース部材が裏枠セット２１５に設けられていた関係上、遊技機メーカーの工場において基板ボックスとベース部材とを組み付け、破断ねじ等により基板ボックスとベース部材とを連結していたが、本実施形態によれば、当該作業を基板メーカーにおいて行うことができる。従って、従来、遊技機メーカーに集中していた遊技機の組立作業の比率格差を是正することができ、全体として、生産性の向上等を図ることができる。
【０１３８】
さて、本実施形態によれば、裏枠セット２１５に対する基板搭載ユニット７０１の誤組付け、すなわち、パチンコ機１０に搭載される主制御装置２６１（主基板）の誤組付けを防止する対策として、基板ボックス２６１（ボックスベース２６３ａ）に第１適合突起９０７及び第２適合突起９１７を設けるとともに、スペーサー６０１（搭載部材６１１）に適合孔部９０１及び適合凹部９１１を設けている。つまり、裏枠セット２１５に取付けられた基板搭載ユニット７０１に搭載されている主制御装置２６１が当該パチンコ機１０に対応する場合には、開状態にある基板搭載ユニット７０１を閉方向に移動させることで、第１適合突起９０７が適合孔部９０１に合致するとともに、第２適合突起９１７が適合凹部９１１に合致して、ともに挿通状態となる。これにより、基板搭載ユニット７０１の閉鎖が許容されるのである。一方、基板搭載ユニット７０１に搭載された主制御装置２６１が当該パチンコ機１０に対応しない場合には、第１適合突起９０７と適合孔部９０１とが合致しなかったり、第２適合突起９１７と適合凹部９１１とが合致しなかったりするため、基板搭載ユニット７０１の閉鎖が規制されるのである。従って、基板搭載ユニット７０１に搭載された主制御装置２６１が当該パチンコ機１０に対応するか否かを確実に把握することができ、当該パチンコ機１０に対してその他のパチンコ機に搭載されるはずの主制御装置が搭載されてしまうといった事態を防止することができる。
【０１３９】
さらに、本実施形態では、ベース部材８０１に対する基板ボックス２６３の誤組付けを防止する対策として、基板ボックス２６３（支持リブ８９４）に第３適合突起９２７を設けるとともに、ベース部材８０１（位置決めリブ８８４）に切込み凹部９２１を設けている。つまり、基板ボックス２６３及びベース部材８０１がともに当該パチンコ機１０に対応する場合には、基板ボックス２６３とベース部材８０１との組付けに際し、第３適合突起９２７と切込み凹部９２１とが合致して基板ボックス２６３とベース部材８０１との組付けが許容されるのであるが、基板ボックス２６３又はベース部材８０１のうち一方が当該パチンコ機１０に対応しない場合には、基板ボックス２６３とベース部材８０１との組付けに際し、第３適合突起９２７と切込み凹部９２１とが合致せずに、基板ボックス２６３とベース部材８０１との組付けが規制されるのである。
【０１４０】
従って、基板メーカーの工場において、基板ボックス２６３とベース部材８０１との組付け時に、基板ボックス２６３に収容した主制御装置２６１が組付け対象となるパチンコ機１０に対応するものであるか否かの確認を行うことができる。つまり、ベース部材８０１の外形状が異なったり、基板ボックス２６３に対するベース部材８０１の取付位置が異なったり、係止金具８７１の形状が異なったりすることに起因して、パチンコ機１０（裏枠セット２１５）に対して基板搭載ユニット７０１を的確に取付けられないといった事態を防止することができる。その上、遊技ホールにおいて、主制御装置２６１の故障等により、基板ボックス２６３単位で主制御装置２６１を交換する際に、基板ボックス２６３及びベース部材８０１を、ベース取付用ボス７３７及びボックス固定部８８６において破断ねじ８８７で連結する前の段階で、パチンコ機１０に搭載される主制御装置２６１の誤組付けを把握することができる。つまり、第３適合突起９２７及び切込み凹部９２１がなくても、第１適合突起９０７及び適合孔部９０１、第２適合突起９１７及び適合凹部９１１によって、パチンコ機１０に搭載される主制御装置２６１の誤組付けを把握することができるのではあるが、当該把握のタイミングが、ベース取付用ボス７３７及びボックス固定部８８６を破断ねじ８８７で連結した後であると、再び基板搭載ユニット７０１に所定の痕跡を形成しつつ（破断ねじ８８７の螺着されたベース取付用ボス７３７及びボックス固定部８８６を切断して）、基板ボックス２６３をベース部材８０１から取外さないといけない。この点、第３適合突起９２７及び切込み凹部９２１を設けることによって、このような二度手間の発生を回避することができ、遊技ホールにおける基板ボックス２６３の交換作業性の低下等を防止することができる。
【０１４１】
加えて、ベース部材８０１に対して基板ボックス２６３を右方にスライドさせてベース部材８０１と基板ボックス２６３とを組付けた後、ベース取付用ボス７３７及びボックス固定部８８６に対して前方から破断ねじ８８７を螺着することで、ベース部材８０１と基板ボックス２６３とが連結されるのであるが、第３適合突起９２７が切込み凹部９２１に挿通状態とならないと（侵入しないと）、ボックス固定部８８６のねじ孔８８６ａとベース取付用ボス７３７のボス穴との位置が合わない（連通しない）構成となっている。当該構成により、ベース部材８０１（ボックス固定部８８６）と基板ボックス２６３（ベース取付用ボス７３７）とを破断ねじ８８７を用いて固定する際に、ベース部材８０１と基板ボックス２６３とが確実に組み付けられているかを確認することができる。従って、ベース部材８０１と基板ボックス２６３とが互いに対応するものであるか否かをより確実に把握することができるとともに、ベース部材８０１と基板ボックス２６３とが確実に組み付けられていないにもかかわらず、その状態で基板搭載ユニット７０１が裏枠セット２１５に取付けられてしまうといった事態をより確実に防止することができる。
【０１４２】
尚、「前記基板搭載ユニットを前記取付部材に取付け、前記基板搭載ユニットを閉状態とした後、前記基板搭載ユニット及び前記取付部材に設けられたユニット側連結部及び取付側連結部に対し、連結部材を差し込むことで、前記基板搭載ユニットと前記取付部材とが固定される構成であって、前記基板搭載ユニットを閉鎖して、前記第１適合部が前記第１被適合部へと侵入した場合に、前記ユニット側連結部と前記取付側連結部とが位置合わせされること」としてもよい。この場合、基板搭載ユニットが完全に閉鎖しているかを確認することができる。これにより、基板搭載ユニットに搭載された制御装置が当該遊技機に対応しないものであることに起因して、基板搭載ユニットが完全に閉まっていないのにもかかわらず、そのまま放置されてしまうといった事態を防止することができる。
【０１４３】
また、スペーサー６０１の搭載部材６１１に形成される適合孔部９０１は、パチンコ機のスペック毎に形成位置が定められるのであるが、本実施形態では、搭載部材６１１の型成形時において、適合孔部９０１が複数箇所に形成されるとともに、全ての適合孔部９０１が閉塞部材９０３により閉塞された状態で形成される。そして、閉塞部材９０３の型成形後に、複数ある適合孔部９０１のうち、当該パチンコ機１０に対応する適合孔部９０１を閉塞している閉塞部材９０３を切除して、当該適合孔部９０１を開口させることとしている。以上のような構成を採用することで、搭載部材６１１については、その形状を少なくともシリーズで統一することができる。結果として、同じ金型を用いて大量生産することができ、生産性の向上、製造コストの削減等を図ることができる。
【０１４４】
加えて、閉塞部材９０３の周縁部には当該閉塞部材９０３を囲むようにして複数の切除用スリット９０４が近接して形成されているため、隣接する切除用スリット９０４間の部位を工具（ニッパー等）等で破断することにより閉塞部材９０３を比較的容易に切除することができる。従って、適合孔部９０１の開口作業性の向上が図られる。
【０１４５】
さらに、凹部や孔部として構成される適合孔部９０１及び適合凹部９１１がスペーサー６０１（搭載部材６１１）に形成され、突部として構成される第１適合突起９０７及び第２適合突起９１７が基板ボックス２６３に形成されている。このため、例えば、適合孔部や適合凹部が基板ボックス２６３に形成されることで、基板ボックス２６３に孔が開いてしまったり、部分的に薄肉となってしまったり、主制御装置２６１の収容状態を阻害しないように適合孔部や適合凹部の形成位置に制約が生じたり、基板ボックス２６３を厚くする必要が生じたりするといった懸念を払拭することができる。従って、基板ボックス２６３に収容された主制御装置２６１に対する不正行為の防止、及び基板ボックス２６３の大型化の抑制を図ることができる。
【０１４６】
尚、裏枠セット２１５は遊技盤３０の背面側に固定される部材であり、遊技盤３０の下部に配設される各種遊技部材（各種入賞口等）の形状や配置に合わせて成形される。さらに、スペーサー６０１は裏枠セット２１５に開閉可能に取付けられるとともに、裏枠セット２１５（裏枠セット２１５に搭載される各種検出スイッチ等）を背面側から覆う部材である。つまり、パチンコ機の機種が変わり、遊技盤３０の形状が変更されると、これに伴って、裏枠セット２１５及びスペーサー６０１の形状も変更される（パチンコ機固有の形状に構成される）。本実施形態によれば、当該スペーサー６０１に適合孔部９０１及び適合凹部９１１が設けられるため、基板搭載ユニット７０１（基板ボックス２６３）の組付け間違いをより確実に把握することができる。
【０１４７】
また、本実施形態では、基板ボックス２６３に対し、ＩＤ情報が格納されたＩＣチップ７９４ａと、ＩＣチップ７９４ａに格納されたＩＤ情報をスキャナーに対して送信可能とするアンテナ部７９４ｂとを具備する封印シール７９３が貼付けられている。さらに、アンテナ部７９４ｂは、封印シール７９３を剥がす力に伴う応力によって一部が破壊される程度の脆性を有し、封印シール７９３は、アンテナ部７９４ｂがボックスベース２６３ａ及びボックスカバー２６３ｂ（ベース側板状部７４１及びカバー側板状部７８１）間の境界を跨ぐようにして貼付けられている。以上のように構成されることで、基板ボックス２６３を開封させるには基板ボックス２６３から封印シール７９３を剥がす必要があるのであるが、アンテナ部７９４ｂは、封印シール７９３を剥がす力に伴う応力によって一部が破壊される程度の脆性を有しているため、封印シール７９３を一度剥がすとアンテナ部７９４ｂが分断される。この場合、遊技ホールの管理者等がスキャナーによりＩＣチップ７９４ａに格納されたＩＤ情報を確認できなくなるので、主制御基板２６１に対して不正が行われたことを容易に且つ確実に発見することができる。
【０１４８】
尚、主制御装置２６１を基板ボックス２６３ごと交換できる構成となっているため、例えば、遊技ホールにおいて主制御装置２６１が故障した場合に、主制御装置２６１を単体で交換するべく基板ボックス２６３を開封することに起因して、封印シール７９３が機能しない状態で営業しなくてはいけないといった事態を回避することができる。さらには、主制御装置２６１を交換しても封印シール７９３を機能させた状態としたいがために、例えば、基板搭載ユニット７０１が取付けられた裏枠セット２１５ごと遊技盤３０から取外し、裏枠セット２１５も含めて交換しなくてはいけないといった事態を回避することができる。
【０１４９】
さらに、ベース部材８０１（ボックス固定部８８６のねじ孔８８６ａ）と、基板ボックス２６３（ベース取付用ボス７３７のボス穴）とを固定する破断ねじ８８７は、基板ボックス２６３の前面側に重ねられて取付けられたベース部材８０１の前方から螺着される構成となっている。これにより、遊技ホールにおいて主制御装置２６１を基板ボックス２６３ごと交換するにあたって、基板搭載ユニット７０１（ベース部材８０１）を開状態としないと、ベース部材８０１に対して基板ボックス２６３を取着できない構成となっている。従って、主制御装置２６３の交換等に際し、基板ボックス２６３の裏面や、透明なスペーサー６０１越しに裏枠セット２１５の背面等を確認することとなる。従って、正規の主制御装置２６３の裏側や裏枠セット２１５の背面側に不正な基板を搭載する等の不正行為を発見しやすくなる。
【０１５０】
加えて、ベース取付用ボス７３７及びボックス固定部８８６は、基板搭載ユニット７０１の開閉軸側に設けられている。従って、基板搭載ユニット７０１を最大限開放したとしても、ベース取付用ボス７３７及びボックス固定部８８６はスペーサー６０１からあまり離間しない。これにより、基板搭載ユニット７０１を最大限開放したとしても、スペーサー６０１を開放しなければ、ドライバー等の工具を用いて破断ねじ８８７をベース取付用ボス７３７及びボックス固定部８８６に螺着させる作業が行いにくい。この場合、主制御装置２６１を基板ボックス２６３ごと交換するにあたって、ベース部材８０１に基板ボックス２６３を取付ける際には、スペーサー６０１を開放することとなるため、当該基板ボックス２６３の交換に際し、裏枠セット２１５とスペーサー６０１との間を確認することとなる。従って、例えば、裏枠セット２１５とスペーサー６０１との間に不正な基板が設置される等の不正行為を発見しやすくなる。
【０１５１】
また、ベース部材８０１の横幅が基板ボックス２６３の横幅の１／６程度となっている。このため、基板ボックス２６３の前面側に重ねて取付けられるベース部材８０１によって基板ボックス２６３の裏面（前面）が覆われてしまうといった事態を抑止することができる。従って、基板ボックス２６３をベース部材８０１から取外さなくても、基板搭載ユニット７０１を開状態とすることで、基板ボックス２６３に収容された主制御装置２６３の裏側（前面側）を確実に確認することができ、点検作業性の向上が図られる。また、ベース部材８０１の横幅がある程度確保されることで、ベース部材８０１と接続金具２８１との接続状態の安定化を図ることができる。
【０１５２】
加えて、基板搭載ユニット７０１は裏枠セット２１５に対して金属製の接続金具２８１を介して取付けられている。さらに、接続金具２８１の基部２８２と差込部２８６とは金属製のリベット２７９により回動可能に固定されている。このように、基板搭載ユニット７０１と裏枠セット２１５との接続に接続金具２８１を用いることで、基板搭載ユニット７０１と裏枠セット２１５とを接続する部材を分断しようとする行為が抑制される。加えて、接続金具２８１の差込部２８６の先端部に設けられた上下一対の鉤部２８７（鉤爪部２８７ａ）を係止する係止金具８７１が金属製であるため、係止金具８７１の規制片部８７４において適度な可撓性と剛性を得られ、差込部２８６の結合部８６１への挿通に伴う鉤部２８７と係止金具８７１との係止をスムースに行え、かつ、係止状態の安定化を図ることができる。
【０１５３】
また、封印シール７９３は、基板ボックス２６３の左側に突出するベース側板状部７４１及びカバー側板状部７８１に貼り付けられている。このため、封印シール７９３を接続金具２８１や係止金具８７１から離間させることができ、スキャナーを近付けてアンテナ部７９４ｂに起電力を発生させる際に、接続金具２８１や係止金具８７１に電力が発生してしまったり、アンテナ部７９４ｂに十分な起電力が発生しなくなってしまったりするといったおそれを抑止することができる。また、上記のような不具合を懸念することなく、接続金具２８１や係止金具８７１を構成することができ、接続金具２８１や係止金具８７１に十分な剛性を確保することができる。
【０１５４】
次に、パチンコ機１０の電気的構成について説明する。図７は、本パチンコ機１０の電気的構成を示すブロック図である。パチンコ機１０の主制御装置２６１（主基板）には、演算装置（処理装置）である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１５５】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１５６】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１５７】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しない検知スイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１５８】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１５９】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【０１６０】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１６１】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１６２】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１６３】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１６４】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１６５】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１６６】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１６７】
表示制御装置４５のＣＰＵ５２１は、サブ制御装置２６２から送信される表示コマンド（指令信号）を、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１６８】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１６９】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源（駆動電力）を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１７０】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１７１】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１７２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１７３】
なお、上述した実施形態の記載内容に限定されず、例えば次のように実施してもよい。
【０１７４】
（ａ）上記実施形態では特に言及していないが、基板ボックス２６３とベース部材８０１とを固定する破断ねじ８８７がベース部材８０１の前方側から螺着される構成であって、基板搭載ユニット７０１を最大限開放したとしても、ベース部材８０１（ボックス固定部８８６）と、基板ボックス２６３（ベース取付用ボス７３７）とを固定する破断ねじ８８７の回転軸線の延長線上にスペーサー６０１が位置し、かつ、基板搭載ユニット７０１（ボックス固定部８８６）とスペーサー６０１との間において破断ねじ８８７を螺着するための工具（ドライバー）を位置させることのできるスペースが形成されない構成としてもよい。この場合、スペーサー６０１の閉状態においてはボックス固定部８８６及びベース取付用ボス７３７に対して破断ねじ８８７を螺着することができない。つまり、主制御装置２６１を基板ボックス２６３ごと交換するにあたって、ベース部材８０１に基板ボックス２６３を取付ける際には、スペーサー６０１を開放する必要がある。従って、基板ボックス２６３の取付け（交換）に際して、裏枠セット２１５とスペーサー６０１との間を確認することとなり、例えば、裏枠セット２１５とスペーサー６０１との間に不正な基板が設置される等の不正行為をより確実に発見することができる。
【０１７５】
（ｂ）上記実施形態において、基板搭載ユニット７０１を裏枠セット２１５に取付け、基板搭載ユニット７０１を閉状態とした後、基板搭載ユニット７０１とスペーサー６０１とを、ねじ又はピン（ナイラッチ等を含む）で固定する構成とした上で、基板搭載ユニット７０１及びスペーサー６０１にそれぞれ設けられる前記ねじ又はピン用の孔は、第１適合突起９０７が適合孔部９０１に挿通されるとともに、第２適合突起９１７が適合凹部９１１に挿通されることで位置合わせされることとしてもよい。この場合、基板搭載ユニット７０１とスペーサー６０１とを、ねじ又はピンで固定する際に、基板搭載ユニット７０１が完全に閉状態となっているかを確認することができる。これにより、基板搭載ユニット７０１に搭載された主制御装置２６１が当該パチンコ機１０に対応しないものであることに起因して、基板搭載ユニット７０１が完全に閉状態とされていないのにもかかわらず、そのまま放置されてしまうといった事態を防止することができる。
【０１７６】
また、上記実施形態では特に言及していないが、基板搭載ユニット７０１が閉状態にある場合には、開状態にある内枠１２を閉方向に移動させることで外枠１１に対する内枠１２の閉鎖が許容され、基板搭載ユニット７０１が開状態にある場合には、内枠１２の閉鎖が規制されることとしてもよい。具体的には、基板搭載ユニット７０１が開状態であると、内枠１２に対して裏パックユニット２０３を閉鎖しようとしても、裏パックユニット２０３が基板搭載ユニット７０１に当接して閉鎖することができず、裏パックユニット２０３が開状態であると、内枠１２を閉方向に移動させる際に、裏パックユニット２０３（保護カバー部３５４）が外枠１１に当接して内枠１２を閉鎖することができない構成としてもよい。この場合、基板搭載ユニット７０１に搭載された主制御装置２６１が当該パチンコ機１０に対応しないものであることに起因して、基板搭載ユニット７０１が完全に閉状態とされていないのにもかかわらず、そのまま放置されてしまうといった事態をより確実に防止することができる。
【０１７７】
（ｃ）上記実施形態では、パチンコ機の機種毎に形成位置が定められる適合凹部９１１は、スペーサー６０１（搭載部材６１１）の型成形に際して開口した状態で同時成形されるが、適合孔部９０１と同様にして、型成形時には、複数箇所において、それぞれ閉塞部材により閉塞された状態で形成され、成形後に、当該パチンコ機１０に対応する適合凹部９１１を開口させる構成を採用してもよい。この場合、パチンコ機の機種が変わったとしても搭載部材６１１の共通化を図ることができ、より一層の生産性の向上や製造コストの削減等を図ることができる。
【０１７８】
尚、基板ボックス２６３に対して適合孔部９０１及び適合凹部９１１を形成し、スペーサー６０１に対して第１適合突起９０７及び第２適合突起９１７を形成してもよいが、基板ボックス２６３に適合孔部９０１が設けられる場合には、主制御装置２６１の収容状態を阻害しないように、適合孔部９０１の形成位置に制約が生じたり、基板ボックス２６３の厚みを厚くしたりする必要が生じることが懸念される。このため、上記実施形態のように、第１適合突起９０７及び第２適合突起９１７が基板ボックス２６３に形成され、適合孔部９０１及び適合凹部９１１がスペーサー６０１に形成されることが望ましい。
【０１７９】
（ｄ）上記実施形態では、第１適合突起９０７及び適合孔部９０１、第２適合突起９１７及び適合凹部９１１が各１つずつ設けられ、第３適合突起９２７及び切込み凹部９２１が２つずつ設けられているが、これらの数や形成位置については特に限定されるものではなく、パチンコ機１０毎に適宜定めることができる。尚、スペック違いのパチンコ機を製造しない場合や、機種の変更に伴って、基板ボックス２６３のボックスベース２６３ａの形状やスペーサー６０１の搭載部材６１１の形状も変更される場合等には、第１適合突起９０７及び適合孔部９０１、又は第２適合突起９１７及び適合凹部９１１のうち少なくとも一方を省略してもよい。
【０１８０】
また、第２適合突起９１７をボックスベース２６３ａに設けることとしてもよい。この場合、第１適合突起９０７、第２適合突起９１７、及び第３適合突起９２７がボックスベース２６３ａに形成されるため、機種やスペックの変更に際し、ボックスカバー２６３ｂの形状を変更する必要がなくなり、金型構造の簡素化が図られる。さらに、第２適合突起９１７をボックスベース２６３ａの前面に形成することで、第１適合突起９０７、第２適合突起９１７、第３適合突起９２７がボックスベース２６３ａの片面側に集約されることとなるので、各適合突起９０７、９１７、９２７の配設位置を変更する際には、ボックスカバー２６３ｂの前面を成形するための金型形状を変更するだけで済むため、金型構造の簡素化が図られる。
【０１８１】
但し、基板搭載ユニット７０１と裏枠セット２１５との誤組付けを防止するための部材（第１適合突起９０７及び適合孔部９０１、第２適合突起９１７及び適合凹部９１１）、及び、ベース部材８０１と基板ボックス２６３との誤組付けを防止するための部材（第３適合突起９２７及び切込み凹部９２１）はそれぞれ複数設けられていることが望ましい。この場合、例えば、第３適合突起９２７の形成位置と切込み凹部９２１の形成位置とが対応していないにもかかわらず、基板ボックス２６３とベース部材８０１とがずれて組み付けられることで、第３適合突起９２７が切込み凹部９２１に挿通されてしまい、誤組付けに気付かないといった事態を抑止することができる。
【０１８２】
尚、上記実施形態では、基板ボックス２６３を前方から見ると、第１適合突起９０７、第２適合突起９１７、及び第３適合突起９２７が視認できるように構成されているが、特にこのような構成に限定されるものではなく、例えば、ボックスベース２６３ａの右辺部７１５に第３適合突起９２７を設け、基板ボックス２６３とベース部材８０１とが組付けられると、基板搭載ユニット７０１の前方からでは第３適合突起９２７を視認できない構成としてもよい。
【０１８３】
（ｅ）基板搭載ユニット７０１と裏枠セット２１５とを接続するための接続金具２８１及び係止金具８７１の形状は特に限定されるものではなく、種々の形状に構成することができる。以下、図１７に示す態様例について説明する。尚、図１７では裏枠セット（２１５）及び基板ボックス（２６３）等の図示を省略する。
【０１８４】
図１７に示す接続金具９７１は、裏枠セット（２１５）に固定される略コ字状の基部９７２と、基部９７２に対して回動可能に取付けられた差込部９７３とを備えている。差込部９７３は、板状の本体部９７５と、本体部９７５の上辺部及び下辺部から前方（図１７の奥側）に突出する軸支部９７６と、本体部９７５の上辺部及び下辺部から上方又は下方に突出する固定部９７７とを備えている。本体部９７５には、後述する係止金具９８５の板ばね部９８５ｂを挿通可能な係止孔９７８が形成されている。上下一対の軸支部９７６にはそれぞれ上下方向に貫通するねじ孔が形成されており、裏枠セット（２１５）を貫通して裏枠セット（２１５）の背面側に突出する基部９７２の両先端部に形成されたねじ孔と位置合わせされて、リベット９７９により連結される。上下一対の固定部９７７には、前後に貫通するねじ孔９７７ａが２つずつ形成されている。
【０１８５】
主制御装置（２６１）を収容する基板ボックス（２６３）に固定されるベース部材９８１は、後方及び背面視左方に開口し、差込部９７３の先端部を収容可能な収容凹部９８３を有するベース本体９８２と、収容凹部９８３の背面側を閉塞するベースカバー９８４と、収容凹部９８３に配設される係止金具９８５とを備えている。収容凹部９８３の上部及び下部には嵌合孔９８６ａが形成された嵌合片９８６が形成されており、ベースカバー９８４を収容凹部９８３の内側に嵌め込むことで、ベースカバー９８４の上面及び下面に突接された嵌合凸部９８８が嵌合孔９８６ａに嵌合する。これにより、ベースカバー９８４がベース本体９８２に取付固定される。また、ベース本体９８２には、背面視左方に突出するボックス固定部９８９が設けられ、ボックス固定部９８９には前後に貫通するねじ孔９８９ａが形成されている。尚、ベース本体９８２には背面視右方において、第２被適合部としての切込み凹部９９０が形成されている。
【０１８６】
係止金具９８５は、収容凹部９８３に嵌合されるベース金具９８５ａと、ベース金具９８５ａから後方に向けて背面視右方に傾斜して延びる板ばね部９８５ｂとを備えている。板ばね部９８５ｂは、ベース金具９８５ａの中央部においてコ字状に切込みを入れて後方に折り返すことで形成されている。ベースカバー９８４がベース本体９８２に取付けられることで、ベース金具９８５ａがベースカバー９８４とベース本体９８２とにより挟持固定される。また、ベース金具９８５ａには前後に貫通する貫通孔９８５ｃが形成されており、ベースカバー９８４がベース本体９８２に取付けられることで、ベースカバー９８４の前面から前方に突出する円柱状の突起（図示略）が前記貫通孔９８５ｃに挿通される。これにより、係止金具９８５の抜け方向への位置ずれが防止される。また、収容凹部９８３の背面視左部には、ベース金具９８５ａの背面視左辺部と当接するずれ止め凸部９８３ａが設けられており、当該ずれ止め凸部９８３によっても係止金具９８５の抜け方向への位置ずれが防止される。
【０１８７】
そして、差込部９７３が収容凹部９８３に挿通されると、差込部９７３の先端部に押圧されて板ばね部９８５ｂがベース金具９８５ａと面一となるように傾倒変形する。差込部９７３をさらに押し込むと、板ばね部９８５ｂが係止孔９７８の内周側に位置し、板ばね部９８５ｂが自らの弾性力により後方に突出する。これにより、接続金具９７１（板ばね部９８５ｂ）が係止金具９８５（係止孔９７８の差込方向先端側の端縁）に係止され、ベース部材９８１と接続金具９７１とが接続される。尚、本例では、当該係止状態において、板ばね部９８５ｂが係止孔９７８から突出しない構成となっており、これにより、収容凹部９８３に侵入させた線材等により板ばね９８５ｂを操作して、係止状態を解除してしまうといった行為を抑制することができる。
【０１８８】
また、上記のように、図１７の接続金具９７１には、ねじ孔９７７ａを有する上下一対の固定部９７７が設けられており、この固定部９７７は、ベース部材９８１と基板ボックス（２６３）との組付け状態において、基板ボックス（２６３）に設けられ、ベース部材９８１のボックス固定部９８９に対して破断ねじにより連結されるベース取付用ボス（７３７）の背面側に位置する。より詳しくは、ベース部材９８１と基板ボックス（２６３）とが組付けられると、ボックス固定部９８９のねじ孔９８９ａ、ベース取付用ボス（７３７）のボス孔（上記実施形態とは異なり前後に貫通する孔として構成される）、及び接続金具９７１の固定部９７７に形成されたねじ孔９７７ａが位置合わせされ（前後に連通し）、ベース部材９８１の前方から破断ねじが螺着される。以上のようにして、基板搭載ユニット（７０１）が裏枠セット（２１５）に取付けられることとなる。このような構成を採用する場合、ベース部材９８１（基板搭載ユニット７０１）と接続金具９７１との接続をより強固なものとすることができる。
【０１８９】
（ｆ）上記実施形態では、カシメピン７９１が挿通される第１封印部７３１及び第２封印部７７１により第２連結部が構成されているが、カシメピン７９１に代えて、螺着後に工具係合部（十字穴等）が形成された部位を除去することのできる破断ねじや、取外す方向に回すことのできないワンウェイねじを螺着することで、第１封印部７３１と第２封印部７７１とが連結される構成としてもよい。
【０１９０】
また、上記実施形態では、破断ねじ８８７が螺着されるボックス固定部８８６及びベース取付用ボス７３７によって第１連結部が構成されているが、破断ねじ８８７に代えて、挿通後に取外不能となるカシメピンを挿通したり、ワンウェイねじを螺着したりすることでボックス固定部８８６とベース取付用ボス７３７とが連結される構成としてもよい。
【０１９１】
さらに、第２連結部や第１連結部を、ボックスベース２６３ａ及びボックスカバー２６３ｂ、又は、ベース部材８０１及び基板ボックス２６１とは別体として構成してもよい。例えば、ベース部材８０１及び基板ボックス２６１を挟持するようにして係止する第１連結部を設け、ボックスベース２６３ａ及びボックスカバー２６３ｂのうち少なくとも一方に対し、第１連結部を破断ねじにより固定するといった構成を採用してもよい。尚、ボックスベース２６３ａ及びボックスカバー２６３ｂはそれぞれ複数の部材により構成されてもよい。
【０１９２】
尚、複数設けられる第１連結部、第２連結部の形状や構成は特に統一されていなくてもよく、当該第１連結部や第２連結部に連結部材としての破断ねじやカシメピンを差し込むことで、基板搭載ユニット７０１や基板ボックス２６３に所定の痕跡を形成しなければ、基板ボックス２６３をベース部材８０１から取外したり、基板ボックス２６３を開封したりすることができないようになっていればよい。
【０１９３】
また、上記実施形態では詳しく言及していないが、基板ボックス２６３をベース部材８０１から取外す場合、破断ねじ８８７が螺着されたベース取付用ボス７３７（図１２、図１３等参照）と、ボックスベース２６３ａの枠部７１２（右辺部７１５）及び第１封印部７３１とを連結する薄板状の連結部（破断部）を破断するとともに、ボックス固定部８８６と、ベース枠８１２（ベース右壁部８１５）との境界部（図１６（ａ）参照）を破断することで、ベース部材８０１と基板ボックス２６３との連結状態を解除する。但し、このような構成に限定されるものではなく、ベース取付用ボス７３７及びボックス固定部８８６のうち一方を、基板ボックス２６３又はベース部材８０１から切除することで、基板ボックス２６３とベース部材８０１との連結状態を解除できるように構成してもよい。尚、ボックス固定部８８６をより切り離し易いように、例えば、ボックス固定部８８６（板部８８６ｂ）とベース枠８１２とを連結する薄板状の破断部を形成することとしてもよい。
【０１９４】
また、上記実施形態では、ベース部材８０１（ボックス固定部８８６）と基板ボックス２６３（ベース取付用ボス７３７）とを連結する連結部材として破断ねじ８８７が採用されており、基板搭載ユニット７０１が組付けられ、ボックス固定部８８６とベース取付用ボス７３７とが破断ねじ８８７により連結された時点で、基板搭載ユニット７０１に所定の痕跡を残さなければ取外せないように連結されるが、特にこのような構成に限定されるものではなく、少なくとも、基板搭載ユニット７０１が、接続金具２８１に接続された時点で、基板搭載ユニット７０１に所定の痕跡を残さなければ基板ボックス２６３をベース部材８０１から取外せないように構成されていればよい。以下、図１８に示す態様例を説明する。尚、図１８に示す接続金具９９１は、基本構成が上記した図１７の接続金具９７１と類似しているため、基本的に図１７の部材番号を用いつつ説明する。
【０１９５】
図１８に示す接続金具９９１の差込部９７３は、板状の本体部９７５と、本体部９７５の上辺部及び下辺部から前方（図１７の奥側）に突出する軸支部９７６と、本体部９７５の上辺部及び下辺部から上方又は下方に突出する閉塞部９９９とを備えている。閉塞部９９９は図１７の固定部９７７とは異なりねじ孔が形成されていない。また、図１７の固定部９７７は後方に突出しているのに対し、図１８の閉塞部９９９は前方に突出している。
【０１９６】
そして、ベース部材９８１と基板ボックス（２６３）とを組付け、ボックス固定部９８９のねじ孔９８９ａ、及びベース取付用ボス（７３７）のボス孔に対して、ベース部材９８１の前方から十字穴を有する普通のねじ９９８を螺着し、ベース部材９８１と基板ボックス（２６３）とを連結する。本例では、上下に並ぶようにして４つずつあるボックス固定部９８９及びベース取付用ボス（７３７）のうち、上から二番目及び下から二番面のボックス固定部９８９及びベース取付用ボス（７３７）に対してねじ９９８を螺着する。尚、ねじ９９８（ねじ９９８の頭部）は、螺着状態においてボックス固定部９８９の内側に没入した状態とされる。それから、差込部９７３をベース部材９８１の収容凹部９８３に挿通させると、接続金具９９１が収容凹部９８３内の係止金具９８５に係止され、ベース部材９８１と接続金具９９１とが接続される。このとき、上下一対の閉塞部９７７が、４つあるボックス固定部９８９のうち、ねじ９９８が螺着された上から二番目及び下から二番面のボックス固定部９８９の前面と略当接状態となり、当該ボックス固定部９８９（ねじ孔９８９ａ）の前面側（図１８では奥側）が閉塞部９９９によって閉塞される。
【０１９７】
以上のようにして、基板搭載ユニット（７０１）が裏枠セット（２１５）に取付けられると、閉塞部９９９により、ボックス固定部９８９とベース取付用ボス（７３７）とを連結するねじ９９８が取外し不可能となる。従って、当該構成を採用する場合においても、基板搭載ユニット７０１の取付状態においては、基板搭載ユニット７０１に所定の痕跡を残さなければ基板ボックス２６３をベース部材８０１から取外すことができなくなる。尚、主制御装置（２６１）を基板ボックス（２６３）単位で交換する場合には、ねじ９９８が螺着されたボックス固定部９８９及びベース取付用ボス（７３７）を破壊して、基板ボックス（２６３）をベース部材９８１から取外した後、新たな基板ボックス（２６３）をベース部材９８１に組付け、ボックス固定部９８９及びベース取付用ボス（７３７）に対し破断ねじを螺着することで、基板ボックス（２６３）とベース部材９８１とを連結する。
【０１９８】
（ｇ）第１適合突起９０７及び第２適合突起９１７をベース部材８０１に設けることとしてもよい。この場合においても、基板ボックス２６３に第１適合突起９０７及び第２適合突起９１７を設ける場合と同様に、基板ボックス２６３（主制御装置２６１）の誤組付けを防止することができる。また、第３適合突起９２７をベース部材８０１に設け、切込み凹部９２１を基板ボックス２６３に設けることとしてもよい。この場合においても、基板ボックス２６３とベース部材８０１との誤組付けを防止することができる。
【０１９９】
さらに、上記実施形態では、ベース部材８０１が基板ボックス２６３の前面側に当接状態で固定されているが、基板ボックス２６３の背面側に当接状態で固定されることとしてもよい。但し、ベース部材８０１（ボックス固定部８８６）と基板ボックス２６３（ベース取付用ボス７３７）とを連結する破断ねじ８８７は、基板搭載ユニット７０１の前方から螺着されることが望ましい。この場合、上記のように、基板ボックス２６３の交換（基板ボックス２６３の接続金具２８１に接続されているベース部材８０１への取付け）に際し、ベース部材８０１（基板搭載ユニット７０１）を開状態とさせる必要があるため、基板搭載ユニット７０１（基板ボックス２６３に収容された主制御装置２６３等）の前面側（裏面）を確認することとなり、不正行為を発見し易くなるといった作用効果が奏される。
【０２００】
（ｈ）上記実施形態では、接続金具２８１の差込部２８６をベース部材８０１の結合部８６１に挿通させることで、結合部８６１内に設けられた係止金具８７１に差込部２８６の鉤部２８７（鉤爪部２８７ａ）が係止される。これにより、接続金具２８１（裏枠セット２１５）にベース部材８０１（基板搭載ユニット７０１）が取付けられるのであるが、特にこのような構成に限定されるものではなく、例えば、接続金具２８１の先端部に略箱状のケース体を設けるとともに、ケース体の内部に係止金具８７１を設け、一方、ベース部材８０１に対して、前記係止金具８７１に係止される鉤部を有する差込部を設けてもよい。この場合、ベース部材８０１の差込部を接続金具２８１のケース体に挿通させることで、接続金具２８１（裏枠セット２１５）にベース部材８０１（基板搭載ユニット７０１）が取付けられることとなる。
【０２０１】
また、上記実施形態では、接続金具２８１が、裏枠セット２１５に固定される基部２８２と、リベット２８９により基部２８２に対して回動可能に設けられた差込部２８６とを備え、基板搭載ユニット７０１が基部２８２と差込部２８６との連結部（リベット２８９）を軸心として内枠１２に対し開閉可能に構成されているが、特にこのような構成に限定されるものではない。例えば、上記のようにベース部材８０１側に差込部を設ける構成を採用した上で、当該差込部を、ベース部材８０１本体に固定される基部と、基部に対して回動可能に設けられる係合部とから構成し、ベース部材８０１において基板搭載ユニット７０１の開閉軸線が形成されるよう構成してもよい。
【０２０２】
さらに、例えば、接続金具２８１の差込部の先端部に対して上下方向に貫通する略円形の軸孔を形成するとともに、結合部８６１内に設けられる係止金具に対して、前記差込部をベース部材８０１の結合部８６１に挿通させる際に前記軸孔に挿通される突起を形成し、接続金具２８１とベース部材８０１（係止金具）との連結部（軸孔及び突起）において基板搭載ユニット７０１の開閉軸線が形成されるよう構成してもよい。
【０２０３】
また、上記実施形態では、基板搭載ユニット７０１が裏枠セット２１５に対して開閉可能に構成されているが、基板搭載ユニット７０１を裏枠セット２１５に対して開閉不能に取付けることとしてもよい。つまり、上記実施形態では、接続金具２８１の差込部２８６が基部２８２に対して回動可能に設けられているが、差込部２８６及び基部２８２を一体的に型成形することとしてもよい。加えて、上記実施形態では、差込部２８６が略Ｌ字状に折り曲げられ、基板搭載ユニット７０１（基板ボックス２６３）の横幅方向に沿って、差込部２８６と基板搭載ユニット７０１とを相対移動させることで、基板搭載ユニット７０１が接続金具２８１に取付けられるが、特にこのような構成に限定されるものではなく、例えば、差込部２８６が平板上に構成されるとともに、基板搭載ユニット７０１（基板ボックス２６３）の厚み方向に沿って、差込部２８６と基板搭載ユニット７０１とを相対移動させることで、基板搭載ユニット７０１が接続金具２８１に取付けられる構成としてもよい。但し、この場合、基板搭載ユニット７０１の大型化等を招くおそれがあるため、上記実施形態のように、基板搭載ユニット７０１（基板ボックス２６３）の厚み方向に沿って、差込部２８６と基板搭載ユニット７０１とを相対移動させることで、基板搭載ユニット７０１が接続金具２８１に取付けられる構成を採用することが望ましい。尚、接続金具を複数設けることとしてもよい。この場合、取付状態の安定化等をより図ることができる。
【０２０４】
さらに、上記実施形態では、開状態にある基板搭載ユニット７０１を閉方向に移動させる際に、第１適合突起９０７が適合孔部９０１に侵入するとともに、第２適合突起９１７が適合凹部９１１に侵入することで、基板搭載ユニット７０１を閉鎖させることができ、これにより、裏枠セット２１５に対する基板搭載ユニット７０１の誤組付けを把握できる構成となっているが、特にこのような構成に限定されるものではない。例えば、第１適合突起９０７を差込部２８６に形成するとともに、適合孔部９０１をベース部材８０１に設け、基板搭載ユニット７０１を接続金具２８１に取付ける際に、第１適合突起９０７が適合孔部９０７に侵入するか否かで裏枠セット２１５に対する基板搭載ユニット７０１の誤組付けを把握できる構成としてもよい。尚、基板搭載ユニット７０１を裏枠セット２１５に対して開閉不能に取付けるといった構成を採用する場合には、上記のように、第１適合突起９０７又は適合孔部９０１の一方をスペーサー６０１に形成するとともに、他方を基板搭載ユニット７０１に形成することでも、基板搭載ユニット７０１を接続金具２８１に取付ける際に、裏枠セット２１５に対する基板搭載ユニット７０１の誤組付けを把握できる構成とすることができる。
【０２０５】
（ｉ）上記実施形態では、閉鎖状態にある基板搭載ユニット７０１と裏枠セット２１５との間に比較的大きく空間が形成され、かかる空間を埋めるようにしてスペーサー６０１が設けられるが、特にこのような構成に限定されるものではない。例えば、スペーサー６０１は箱状ではなく略板状に構成され、裏枠セット２１５の背面側を覆うだけの構成としてもよい。この場合、基板搭載ユニット７０１を閉鎖したときに基板搭載ユニット７０１を支持する（係止する）部位や、適合孔部９０１及び適合凹部９１１を裏枠セット２１５等に設けてもよい。また、例えば、スペーサー６０１は適合孔部９０１及び適合凹部９１１を備え、基板搭載ユニット７０１を閉鎖したときに基板搭載ユニット７０１を支持するだけの構成としてもよい。この場合、裏枠セット２１５の背面側を覆う部材を別途設けてもよい（裏枠セット２１５に対し、その背面側を覆うカバーを直接固定してもよい）。尚、閉鎖状態にある基板搭載ユニット７０１と裏枠セット２１５との間にほとんど隙間がなくてもよい。
【０２０６】
さらに、上記実施形態では、スペーサー６０１が搭載部材６１１及び蓋部材６５１の２部材で構成されるが、１つの部材により構成されてもよい。但し、スペーサー６０１を１つの部材で構成する場合には、スペーサー６０１の内部空間を細かく区画するリブを形成し、不正な基板等がスペーサー６０１の内部空間を利用して設置されないようにすることが望ましい。また、スペーサー６０１を省略し、裏枠セット２１５に対して適合孔部９０１及び適合凹部９１１を形成することとしてもよい。加えて、スペーサー６０１を裏枠セット２１５に固定的に（開閉不能に）設けてもよい。
【０２０７】
（ｊ）また、第１封印部７３１及び第２封印部７７１やボックス固定部８８６及びベース取付用ボス７３７の形成個数や、カシメピン７９１や破断ねじ８８７によって連結される箇所数は特に限定されるものではなく、例えば、第１封印部７３１及び第２封印部７７１が１０個ずつ設けられるとともに、ボックスベース２６３ａとボックスカバー２６３ｂとの組付け後に、１０個ある第１封印部７３１及び第２封印部７７１のうち２つにカシメピン７９１がそれぞれ挿通されることとしてもよい。このように、第１封印部７３１及び第２封印部７７１、ボックス固定部８８６及びベース取付用ボス７３７がそれぞれ複数箇所で連結される場合には、連結状態（かしめ状態）をより確実なものとすることができるとともに、連結状態における位置ずれやがたつきを防止することができる。
【０２０８】
（ｋ）上記実施形態では、ベース部材８０１の横幅が、基板ボックス２６３の横幅の１／６程度に設定されているが、特にこのような構成に限定されるものではなく、例えば、ベース部材８０１の横幅と基板ボックス２６３の横幅とがほぼ同じであってもよい。但し、基板ボックス２６３をベース部材８０１から取外さなくても、基板搭載ユニット７０１を開状態とすることで、基板ボックス２６３に収容された主制御装置２６１の裏側（前面側）をより確実に確認できるように、ベース部材８０１は基板ボックス２６３よりも小さく構成されることが望ましい。一方、ベース部材８０１の横幅が小さすぎると、接続金具２８１との接続状態が不安定になってしまうおそれがあるため、ベース部材８０１はある程度の横幅を有することが望ましい。つまり、ベース部材８０１の横幅を基板ボックス２６３の横幅の１／８以上、１／４以下とするのが望ましく、１／７以上、１／５以下とするのがより望ましい。以上のようにベース部材８０１の横幅を設定することにより、主制御装置２６１裏面側の点検作業性の向上が図られるとともに、ベース部材８０１と接続金具２８１との接続状態の安定化を図ることができる。
【０２０９】
（ｌ）上記実施形態では、ボックスベース２６３ａに対してボックスカバー２６３ｂを左右方向にスライドさせることでボックスベース２６３ａとボックスカバー２６３ｂとが組付けられ、ベース部材８０１に対して基板ボックス２６３を左右方向にスライドさせることでベース部材８０１と基板ボックス２６３とが組み付けられているが、特にこのような構成に限定されるものではなく、上下方向や前後方向に相対移動させたり、一側部側を軸支させて回動させたりすることで、それぞれの組付けが行われる構成としてもよい。
【０２１０】
但し、これらの組付け方向に対して、ボックスベース２６３ａとボックスカバー２６３ｂとを連結するカシメピン７９１の挿通方向、及び、ベース部材８０１と基板ボックス２６３とを連結する破断ねじ８８７の螺着方向が交差する方向となっていることが望ましい。この場合、カシメピン７９１を第１封印部７３１及び第２封印部７７１に挿通させることで、ボックスベース２６３ａとボックスカバー２６３ｂとが確実に組み付けられているかを確認することができ、破断ねじ８８７をボックス固定部８８６及びベース取付用ボス７３７に螺着することで、ベース部材８０１と基板ボックス２６３とが確実に組み付けられているかを確認することができる。
【０２１１】
（ｍ）上記実施形態では、左辺枠構成部１１ｃ及び右辺枠構成部１１ｄがアルミニウム合金製の押出成形材により構成されているが、これに限らず、他の金属材料により構成してもよい。但し、アルミニウム合金は、他の金属材料よりも比較的軽く加工性がよいため、リサイクル性の向上を図る点においては、より好ましい。もちろん、木製の板材を小ネジ等の離脱可能な締結具により組み付けることで外枠１１を構成してもよい。但し、上記実施形態のように、左辺枠構成部１１ｃ及び右辺枠構成部１１ｄを金属製とすることで、耐久性及びリサイクル性の向上を図ることができる上、左辺枠構成部１１ｃ及び右辺枠構成部１１ｄの強度を保ちつつ薄肉とすることができることにより、パチンコ機１０のように、その外郭形状が規格的に略同一形状に構成される遊技機において、外枠１１によって囲まれたスペースが左右幅方向に拡張されることとなり、当該スペースをより有効に利用することができる。また、従来の木製の外枠では、内部スペースの拡張等のために左右両辺の枠構成部にルータ加工等を施していたが、左辺枠構成部１１ｃ及び右辺枠構成部１１ｄを金属で構成することにより、ルータ加工等のような手間のかかる作業を必要とせず、作業工程の簡素化を図ることができる。さらに、成形の自由度が向上するため、右辺枠構成部１１ｄの断面形状を、内枠１２と外枠１１との隙間を減少させたり、内枠１２と外枠１１との隙間から針金等の線材をパチンコ機１０の内部に侵入させにくくしたりする形状とすることができる。
【０２１２】
尚、左辺枠構成部１１ｃ及び右辺枠構成部１１ｄは押出成形品でなくともよく、例えば型成形品でもよい。また、上記実施形態では、左辺枠構成部１１ｃ及び右辺枠構成部１１ｄだけが金属製であるが、これに限らず、上辺枠構成部１１ａや下辺枠構成部１１ｂを金属製にしてもよい。この場合、例えば上下左右の枠構成部１１ａ〜１１ｄのうちの２つ或いは３つの枠構成部、又はすべての枠構成部を一体成形してもよい。加えて、延出壁部８３を省略した構成としてもよい。
【０２１３】
（ｎ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【０２１４】
（ｏ）上記実施形態では、適合孔部９０１を閉塞する閉塞部材９０３の周縁部に複数の切除用スリット９０４が形成されているが、閉塞部材９０３を切除し易いようになっていればよく、例えば、閉塞部材９０３を囲むようにして切除用スリット９０４をＣ字状に形成することとしてもよい。但し、第１適合突起９０７と、開口された適合孔部９０１とが合致していないにもかかわらず、基板搭載ユニット７０１を無理やりスペーサー６０１に押付けることで、閉塞部材９０３が適合突起９０７に押されて簡単に除去されてしまうといった事態を抑制するべく、スペーサー６０１（搭載部材６１１）に対して閉塞部材９０３を複数箇所で連結しておくことが望ましい。
【０２１５】
［付記］
上記実施形態から把握できる技術的思想について、以下に記載する。
【０２１６】
遊技機の一種として、パチンコ遊技機やスロットマシン等が知られている。これらの遊技機は、ＣＰＵ（中央処理装置）や遊技に関わる制御プログラムが記憶されたＲＯＭ等の電子部品が実装された制御基板（制御装置）を備えており、その制御基板によって一連の遊技が制御されている。
【０２１７】
この種の遊技機においては、不正な利益を得ることを目的として、制御基板を不正に取り外して当該基板のＲＯＭ（ＣＰＵやＲＯＭが１チップ化されている場合は当該チップ）
を交換し遊技内容を変更したり、リード線等により外部から不正な電気信号を制御基板に入力させたりする等、制御基板に対しての不正行為が数多く報告されており、各種の不正対策が検討されている。例えば、基板ボックスに封印構造（いわゆる、カシメ構造）を持たせて、基板ボックスの開封時には破壊等による開封履歴（開封の痕跡）を残すようにする、遊技機に取付けられた基板ボックスを遊技機から取外した場合に所定の痕跡が残るようにする、或いは、基板ボックスを構成するボックスベース及びボックスカバーの接合部に再貼付不可能であり剥がすと痕跡が残る封印シールを貼付する等の不正対策が採用されている（例えば特許文献１参照）。
【０２１８】
しかしながら、上記のように制御基板に対して様々な不正対策を施すことに起因して構成の複雑化を招くことが懸念され、製造作業性、ひいては生産性の低下等を招くおそれがある。従って、制御基板周りの構成に関し製造作業の効率化が望まれている。また、生産効率の向上や製造コストの削減等を図る上では、遊技機の機種毎に新規に設計、製造される部材を極力減らし、部材の共通化を図ることが望ましい。ところが、制御基板周りの構成を共通化した場合、例えば、所定の遊技機に対し、別の機種の遊技機に搭載されるはずの制御基板が誤って搭載されてしまうといった事態を招くおそれがある。
【０２１９】
なお、上記課題は、パチンコ機に限らず、同様の構造を有する他の遊技機にも該当する問題である。
【０２２０】
本発明は、上記例示した問題点等を解決するためになされたものであり、その目的は、制御基板の不正対策を十分に講じた上で、生産性の低下を抑制しつつ、搭載される制御基板の誤組付けを防止することのできる遊技機を提供することにある。
【０２２１】
手段１．遊技機本体に固定される取付部材と、前記取付部材に取付けられ、各種制御を行う制御部材を搭載してなる基板搭載ユニットとを備え、
前記基板搭載ユニットは、前記制御部材と、前記制御部材に対応して成形され、前記制御部材を収容する基板ボックスと、前記基板ボックスに取付けられるベース部材と、前記基板ボックスと前記ベース部材とを連結するための複数の第１連結部と、前記複数ある第１連結部のうち一部において前記基板ボックスと前記ベース部材とを連結する第１連結部材とを備え、未使用の前記第１連結部が残存するとともに、前記基板ボックスを前記ベース部材から取外した場合に前記基板搭載ユニットに対して所定の痕跡が形成される構成であり、
前記基板ボックスは、ボックスベースと、前記ボックスベースの開口部を覆うボックスカバーと、前記ボックスベースと前記ボックスカバーとを連結するための第２連結部と、前記第２連結部において前記ボックスベースと前記ボックスカバーとを連結する第２連結部材とを備え、前記基板ボックスを開封した場合に前記基板ボックスに対して所定の痕跡が形成される構成であり、
前記取付部材は、係合部を具備する接続部材を備え、前記ベース部材は、前記係合部と係合可能な被係合部を備え、前記係合部又は前記被係合部のうち一方を他方に差込むことで、前記ベース部材が前記接続部材に取付られるとともに、前記他方に設けられた被覆手段により、前記係合部と前記被係合部との結合部分が覆われる構成であって、
前記基板搭載ユニット又は前記取付部材のうち一方側は突部として構成される第１適合部を備えるとともに、他方側は前記突部の侵入を許容する程度の大きさを有する凹部又は孔部として構成される第１被適合部を備え、
前記基板搭載ユニットと前記取付部材との組付けに際し、前記第１適合部が前記第１被適合部に侵入することで、前記基板搭載ユニットと前記取付部材との組付けが許容され、
前記基板ボックス又はベース部材のうち一方側は突部として構成される第２適合部を備えるとともに、他方側は前記突部の侵入を許容する程度の大きさを有する凹部又は孔部として構成される第２被適合部を備え、
前記基板ボックスと前記ベース部材との組付けに際し、前記第２適合部が前記第２被適合部に侵入することで、前記基板ボックスと前記ベース部材との組付けが許容されることを特徴とする遊技機。
【０２２２】
手段１によれば、制御部材（制御基板）の不正対策として、開封した場合に所定の痕跡が形成される基板ボックスに制御部材を収容することから、基板ボックスを開封し、制御部材を取替えてしまうといった不正行為を抑止することができる。また、基板ボックスをベース部材から取外した場合に基板搭載ユニットにおいて所定の痕跡が形成されるため、基板ボックスを取外して不正な制御部材を収容した基板ボックスを取付けてしまうといった不正行為を抑止することができる。さらに、係合部と被係合部との結合部分を覆う被覆手段の存在により、ベース部材を接続部材から取外すといった行為を防止することができる。従って、基板ボックスを取外して不正な制御部材を搭載した基板ボックスを取付けてしまうといった不正行為を抑止することができる。
【０２２３】
また、生産性低下の対策として、接続部材の係合部又はベース部材の被係合部のうち一方を他方に差込むことで（特別な工具を必要とすることなく）、ベース部材が接続部材に取付けられる、すなわち、基板搭載ユニットが取付部材に取付けられる構成を採用している。つまり、従来、ベース部材が取付部材に設けられていた関係上、遊技機メーカーの工場において基板ボックスとベース部材とを組み付け、さらに、第１連結部により基板ボックスとベース部材とを連結していたが、本手段によれば、当該作業を基板メーカーにおいて行うことができる。従って、従来、遊技機メーカーに集中していた遊技機の組立作業の比率格差を是正することができ、全体として、生産性の向上等を図ることができる。
【０２２４】
また、第１連結部は複数設けられている。このため、ベース部材と基板ボックスとの組付後に少なくとも１つを残して連結しておくこと（未使用の第１連結部を残しておくこと）により、例えば、連結部材により連結された第１連結部を破壊することで基板ボックスをベース部材から取外した場合であっても、未使用の第１連結部を利用して、再度基板ボックスとベース部材とを連結することができる。従って、ベース部材から基板ボックスを取外して点検を行ったり、故障した制御部材を基板ボックス単位で交換したりすることができる。
【０２２５】
さて、本手段１によれば、取付部材に対する基板搭載ユニットの誤組付け、すなわち、遊技機に搭載される制御部材（制御基板）の誤組付けを防止する対策として、基板搭載ユニット又は取付部材のうち一方側に第１適合部（突部）を設けるとともに、他方側に第１被適合部（凹部又は孔部）を設けている。このため、例えば、機種の異なる遊技機間で、第１適合部及び第１被適合部の形成位置や大きさ等を異ならせておくことで、基板搭載ユニットと取付部材との組付け時に両者が対応するものであるかを把握することができる。つまり、取付部材に取付けられた基板搭載ユニット（基板搭載ユニットに搭載されている制御部材）が当該遊技機に対応する場合には、基板搭載ユニットと取付部材との組付けに際し、第１適合部が第１被適合部に合致して（侵入して挿通状態となり）基板搭載ユニットと取付部材との組付けが許容されるのであるが、基板搭載ユニットが当該遊技機に対応しない場合には、第１適合部と第１被適合部とが合致せずに、基板搭載ユニットと取付部材との組付けが規制される。従って、基板搭載ユニットに搭載された制御部材が当該遊技機に対応するか否かを確実に把握することができ、当該遊技機に対してその他の遊技機に搭載されるはずの制御部材が搭載されてしまうといった事態を防止することができる。
【０２２６】
さらに、ベース部材に対する基板ボックスの誤組付けを防止する対策として、基板ボックス又はベース部材の一方側に第２適合部（突部）を設けるとともに、他方側に第２被適合部（凹部又は孔部）を設けている。つまり、基板ボックス及びベース部材がともに当該遊技機に対応する場合には、基板ボックスとベース部材との組付けに際し、第２適合部と第２被適合部とが合致して（挿通状態となり）基板ボックスとベース部材との組付けが許容されるのであるが、基板ボックス又はベース部材のうち一方が当該遊技機に対応しない場合には、基板ボックスとベース部材との組付けに際し、第２適合部と第２被適合部とが合致せずに、基板ボックスとベース部材との組付けが規制される。
【０２２７】
従って、基板メーカーの工場において、基板ボックスとベース部材との組付け時に、基板ボックスに収容した制御部材が組付け対象となる遊技機に対応するものであるか否かの確認を行うことができる。つまり、ベース部材の形状が異なったり、基板ボックスに対するベース部材の取付位置が異なったり、被係合部の形状が異なったりすることに起因して、取付部材に対して基板搭載ユニットを的確に取付けられないといった事態を防止することができる。その上、遊技ホールにおいて、制御部材の故障等により、基板ボックス単位で制御部材を交換する際に、基板ボックス及びベース部材を第１連結部により連結する前の段階で、遊技機に搭載される制御部材の不一致を把握することができる。つまり、第２適合部及び第２被適合部がなくても、第１適合部及び第１被適合部によって、遊技機に搭載される制御部材の不一致を把握することができるのではあるが、当該把握のタイミングが、基板ボックス及びベース部材を第１連結部によって連結した後であると、基板搭載ユニットに所定の痕跡を形成しつつ、基板ボックスをベース部材から取外す作業が必要となってしまう。この点、第２適合部及び第２被適合部を設けることによって、このような二度手間の発生を回避することができ、遊技ホールにおける基板ボックスの交換作業性の低下等を防止することができる。
【０２２８】
尚、「前記被係合部及び前記係合部のうち一方側は、前記係止部の挿通を許容する第１の状態と、前記係止部の抜け方向への移動を規制する第２の状態とに変位可能な係止片を備え、他方側は前記係止片に係止可能な係止爪部を備え、前記係合部及び前記被係合部のうち一方を他方に差込むことで、前記第１の状態にある前記係止片が前記係止爪部に押圧されて前記第２の状態となった後、前記係止爪部が前記係止片を通過することで、前記係止片が自らの弾性力により前記第１の状態へと復帰し、前記係止爪部が前記係止片に係止されること」としてもよい。この場合、比較的容易に、接続部材の係合部を被係合部に差込むだけで接続部材とベース部材とが接続される構成とすることができる。従って、接続部材とベース部材との接続に際し、作業者が係合部及び被係合部の結合部分を直接触って動かす必要がなくなることから、当該係合部分への接触を不可能な構成としても、接続部材とベース部材とを確実に接続することができる。
【０２２９】
さらに、「前記第２連結部は複数設けられ、前記ボックスベースと前記ボックスカバーとの組付後、少なくとも１つを残して連結されること」としてもよい。この場合、例えば、連結部材により連結された第２連結部を破壊することで基板ボックスを開封した場合であっても、未使用の第２連結部を利用して、再度ボックスベースとボックスカバーとを連結（基板ボックスを封印）することができる。従って、基板ボックスから制御部材を取出して点検を行ったり、故障した制御部材を単体で交換したりすることができる。但し、遊技ホールにおいて制御部材が故障した際に、制御部材を基板ボックスごと交換することとしてもよい。この場合、制御部材の搬送に際し制御部材が損傷してしまうといった事態を防止したり、搬送途中で不正な制御部材に取り替えられてしまうといった事態を抑制したりすることができる。
【０２３０】
また、例えば、凹部や孔部として構成される第１被適合部が基板ボックスに形成される場合には、基板ボックスに孔が開いてしまったり、部分的に薄肉となってしまったり、制御部材の収容状態を阻害しないように第１被適合部の形成位置に制約が生じたり、基板ボックスを厚くする必要が生じたりすることが懸念される。このため、不正防止及び基板ボックスの大型化の抑制の観点からして、第１適合部が基板ボックスに形成され、第１被適合部が取付部材に形成されることが望ましい。また、ボックスベース及びボックスカバーはそれぞれ１つの部材により構成されてもよいし、複数の部材により構成されてもよい。さらに、第２連結部は、ボックスベース及びボックスカバーと一体的に設けられてもよいし、ボックスベース及びボックスカバーとは別の部材として構成されてもよい。加えて、第１連結部は、基板ボックス及びベース部材と一体的に設けられてもよいし、基板ボックス及びベース部材とは別の部材として構成されてもよい。また、複数ある第１連結部はいずれも同じ形状、同じ構成のものであってもよいし、一部が又は全てが異なる形状、異なる構成のものであってもよい。さらに、各第１連結部に差し込まれる第１連結部材に関しても、いずれも同じ形状、同じ構成のものであってもよいし、一部が又は全てが異なる形状、異なる構成のものであってもよい。つまり、第１連結部に第１連結部材を差し込むことで、基板搭載ユニットに所定の痕跡を形成しなければ、基板ボックスをベース部材から取外せない構成となっていればよい。
【０２３１】
尚、「前記基板搭載ユニットと前記取付部材との組付け」とあるのは、基板搭載ユニットが取付部材に取付けられてセットされた状態となるまでの作業を意図しており、例えば、前記基板搭載ユニットを前記接続部材に取付ける際に、第１適合部が第１被適合部に侵入するか否かで取付部材に対する基板搭載ユニットの誤組付けを把握できる構成としてもよいし、基板搭載ユニットを遊技機本体に対して開閉可能に設ける場合、開状態にある前記基板搭載ユニットを閉方向に移動させる際に、第１適合部が第１被適合部に侵入するか否かで取付部材に対する基板搭載ユニットの誤組付けを把握できる構成としてもよい。
【０２３２】
基板搭載ユニットは遊技機本体に対して開閉可能に設けられることとしてもよい。この場合、基板搭載ユニットの裏面（前面）や取付部材の背面の点検を比較容易に行うことができる。また、遊技機は「基板搭載ユニットが閉状態とされることでセットされること」としてもよい。さらに「前記遊技機本体は枠体（外枠）に対して開閉可能に設けられ、前記基板搭載ユニットが閉状態にある場合には、開状態にある前記遊技機本体を閉状態に移動させることで前記遊技機本体の閉鎖が許容され、前記基板搭載ユニットが開状態にある場合には、開状態にある前記遊技機本体の閉鎖が規制されること」としてもよい。この場合、基板搭載ユニットに搭載された制御部材が当該遊技機に対応しないものであることに起因して、基板搭載ユニットが完全に閉状態とされていないのにもかかわらず、そのまま放置されてしまうといった事態を防止することができる。
【０２３３】
さらに、制御部材としては、プリント基板にＣＰＵ等が搭載された制御基板等が挙げられるが、プリント基板は必須の構成ではなく、例えば、制御プログラムや固定値データを記憶したＲＯＭ、ＲＯＭ内に記憶される制御プログラムの実行に際して各種のデータ等を一時的に記憶するメモリであるＲＡＭ、及び各種回路等を内蔵した１チップマイコンとしてのＣＰＵにより制御部材を構成してもよい。
【０２３４】
また、第１適合部及び第２適合部は、取付部材に取付けられた基板搭載ユニット（基板ボックス）が当該遊技機に対応しないものである場合において、基板搭載ユニットを閉鎖する際に取付部材の背面又は基板搭載ユニットの前面と当接して、基板搭載ユニットの閉鎖を阻止するための部位である。一方、第１被適合部及び第２被適合部は、取付部材に取付けられた基板搭載ユニット（基板ボックス）が当該遊技機に対応するものである場合において、基板搭載ユニットを閉鎖する際に第１適合部及び第２適合部を受入れ、第１適合部及び第２適合部が取付部材の背面又は基板搭載ユニットの前面に当接することに起因して、基板搭載ユニットの閉方向への移動が干渉（遮障、阻害）されないようにするための部位である。つまり、「突部の侵入を許容する程度の大きさ」とあるのを、第１被適合部及び第２被適合部の構成に合わせて、「突部の挿通を許容する程度の大きさ」、「突部を受入れ可能な程度の大きさ」、「突部を収容可能な程度の大きさ」等の言葉に置き換えることもできる。
【０２３５】
加えて、取付部材は遊技機本体に固定される部材であり、遊技機本体の形状に合わせて成形されることとなる。つまり、遊技機を新規に設計・製造する際に、遊技機本体のうち取付部材が固定される部位の形状（遊技機本体に搭載される遊技部材の形状、配置）が変更されると、これに伴って、取付部材の形状も変更される（遊技機固有の形状に構成される）。本手段によれば、このように各遊技機に対応して設けられる取付部材に対し、第１適合部又は第１被適合部のうち一方が設けられるため、基板搭載ユニット（基板ボックス）の組付け間違いをより確実に把握することができる。尚、取付部材は、遊技機本体に設けられる遊技盤の背面に固定されることとしてもよい。
【０２３６】
また、破断することによって、第１連結部材（第２連結部材）により連結された第１連結部（第２連結部）の連結状態が解除される破断部を備えるとともに、未使用の第１連結部（第２連結部）に対して新たな第１連結部材（第２連結部材）を使用することで、基板ボックス及びベース部材（ボックスベース及びボックスカバー）を連結可能とする構成を採用してもよい。尚、破断部は、基板ボックスをベース部材から取外す際（基板ボックスを開封する際）に、工具を用いて切断したり、手で折り取ったりすることができるように、基板搭載ユニット（基板ボックス）に予め形成される部位である。また、第１連結部の態様例としては、基板ボックスに設けられたボックス側連結部と、ベース部材に設けられたベース側連結部とから構成され、ボックス側連結部及びベース側連結部に第１連結部材が差し込まれることで両者間が連結されるといった構成が挙げられる。この場合、破断部は、ボックス側連結部及びベース側連結部の両方に形成される必要はなく、少なくとも一方に設けられ、当該破断部を破断することで、基板ボックスとベース部材との連結状態を解除できる構成となっていればよい。尚、上記のような構成を採用する場合、破断部の破断された跡が、基板搭載ユニットに形成される「所定の痕跡」に相当する。
【０２３７】
手段２．前記基板搭載ユニット又は前記取付部材のうち前記第１被適合部が形成される側の型成形時において、前記第１被適合部を構成する前記凹部又は孔部が複数箇所において閉塞部材により個別に閉塞された状態で形成され、
型成形後に、複数ある前記凹部又は孔部のうち当該遊技機に対応する前記凹部又は孔部を閉塞している前記閉塞部材が除去され、当該凹部又は孔部が開口されることを特徴とする手段１に記載の遊技機。
【０２３８】
手段２によれば、基板ボックス又は取付部材の型成形後において、各遊技機に対応する凹部又は孔部を開口させる（機能する状態とする）こととしている。従って、異なる機種の遊技機を製造する場合であっても、第１被適合部を形成するために当該第１被適合部が形成される基板ボックス又は取付部材の形状を変更するといった必要がなく、その形状を統一することができる。結果として、第１被適合部が形成される基板ボックス又は取付部材に関しても、同じ金型を用いて大量生産することができ、生産性の向上、製造コストの削減等を図ることができる。
【０２３９】
尚、複数設けられる凹部又は孔部の全てを閉塞部材で閉塞しておく必要はなく、少なくとも２つの凹部又は孔部が閉塞部材により覆われた状態で成形され、型成形後に、開口させる凹部又は孔部を選択できるように構成されていればよい。例えば、「前記第１適合部及び前記第１被適合部は、機種毎に形成位置が定められるものと、同一機種でスペックの異なる遊技機がシリーズとして複数製造される場合にスペック毎に形成位置が定められるものとがあり、前記基板搭載ユニット又は前記取付部材のうち前記第１被適合部が形成される側の型成形時において、前記第１被適合部を構成する前記凹部又は孔部が複数箇所に形成されるとともに、複数ある前記凹部又は孔部のうち少なくともスペック毎に形成位置が定められるものに関しては、その全てが閉塞部材により個別に閉塞された状態で形成され、型成形後に、複数ある前記凹部又は孔部のうち当該遊技機に対応する前記凹部又は孔部を閉塞している前記閉塞部材が除去され、当該凹部又は孔部が開口されること」としてもよい。この場合、基板ボックス又は取付部材のうち第１被適合部が形成される側については、その形状を少なくともシリーズで統一することができる。また、「複数ある前記凹部又は孔部（機種毎に形成位置が定められるものも含む）の全てが閉塞部材により閉塞された状態で形成されること」としてもよい。この場合、より一層の生産性の向上や製造コストの削減等を図ることができる。尚、一般に、メインタイトル（機種名）、デザイン等が異なる場合には機種が異なっているといえる。また、液晶表示装置等の表示装置がある場合には異機種間で表示装置における表示態様が異なる。一方、同一機種ではあるがスペックが異なる場合には、メインタイトル、デザイン、表示装置における表示態様等はほぼ同じであるが、サブタイトル、大当たり状態となる当選確率（大当たり確率）、大当たりに際し払出される遊技球の総数等が異なる。尚、前記基板搭載ユニット又は前記取付部材のうち前記第１適合部が形成される側の型成形時において、前記第１適合部を構成する突部が複数箇所に形成されるとともに、型成形後に、複数ある前記突部のうち当該遊技機に対応する前記突部を残してその他の前記突部が除去されることとしてもよい。
【０２４０】
手段３．前記閉塞部材の周縁部には当該閉塞部材を囲むようにして切除孔が形成されていることを特徴とする手段２に記載の遊技機。
【０２４１】
手段３によれば、切除孔に工具（ニッパー等）等の先端部を挿通し、閉塞部材を比較的容易に切除することができる。従って、凹部又は孔部を開口させる際の作業性の向上が図られる。尚、「閉塞部材を囲むようにして複数の切除孔が隣接して形成されること」としてもよい。この場合、隣接する切除孔間の部位を工具で破断することにより閉塞部材を比較的容易に切除することができる。
【０２４２】
手段４．識別情報が格納されたＩＣチップと、前記ＩＣチップに格納された識別情報を読取体に対して送信可能とするアンテナとを具備する封印シールを備え、前記アンテナは、前記封印シールを剥がす力に伴う応力によって一部が破壊される程度の脆性を有し、前記封印シールは、前記アンテナが前記ボックスベース及び前記ボックスカバー間の境界を跨ぐようにして貼り付けられることを特徴とする手段１乃至３のいずれかに記載の遊技機。
【０２４３】
手段４によれば、封印シールには、ＩＣチップとアンテナとが設けられており、ＩＣチップに格納されている識別情報がアンテナにより読取体に対して送信可能となっている。かかる構成において、封印シールは、アンテナがボックスベース及びボックスカバー間の境界を跨ぐようにして貼り付けられている。つまり、基板ボックスを開封させるには基板ボックスから封印シールを剥がす必要があるのであるが、アンテナは、シールを剥がす力に伴う応力によって一部が破壊される程度の脆性を有しているため、封印シールを一度剥がすとアンテナが分断される。この場合、遊技ホールの管理者等が読取体によりＩＣチップに格納された識別情報を確認できなくなるので、制御基板に対して不正が行われたことを容易に且つ確実に発見することができる。
【０２４４】
また、上記手段１に記載のように、制御部材を基板ボックスごと交換できる構成となっている。このため、例えば、遊技ホールにおいて制御部材が故障した場合に、制御部材を単体で交換するべく基板ボックスを開封することに起因して、封印シールが機能しない状態で営業しなくてはいけないといった事態を回避することができる。さらには、制御部材を交換しても封印シールを機能させた状態としたいがために、例えば、基板搭載ユニットが取付けられた取付部材ごと遊技機本体から取外し、取付部材も含めて交換しなくてはいけないといった事態を回避することができる。
【０２４５】
手段５．前記取付部材は、遊技機本体の背面側に固定され、前記接続部材が取付けられる取付台と、前記取付台に対して開閉可能に設けられる支持部材とを備え、前記支持部材の背面に前記第１被適合部が形成されるとともに、前記支持部材及び前記基板搭載ユニットの閉状態において前記取付台と前記基板搭載ユニットとの間に前記支持部材が位置することを特徴とする手段１乃至４のいずれかに記載の遊技機。
【０２４６】
手段５によれば、取付台と基板ボックスとの間に支持部材を設けることで、遊技機内部に侵入させた針金等を、取付台と基板ボックスとの間を通じて、遊技盤前面に設けられる各種入球手段に入球した遊技球を検知する検知スイッチ等に接触させ、誤作動させたりするといった行為を抑制することができる。また、取付台と基板搭載ユニットとの間に空間が形成される場合、当該空間を支持部材で埋めることで、例えば、前記空間に不正な基板が設置されるといった行為を抑制することができる。さらに、支持部材が開閉可能であることにより、例えば、支持部材が開閉不能である場合に比べ、取付台に搭載される各種部材（遊技盤前面に設けられる各種入球手段に入球した遊技球を検知する検知スイッチや、中継基板等）を確実に、かつ、比較的容易に点検することができる。加えて、例えば、基板ボックス側に第１被適合部が形成される場合には、基板ボックス内側に凸となる凹部や、孔部を介して基板ボックス内側に突出する第１適合部によって基板ボックス内側のスペースが狭められるため、場合によっては、制御部材の設置スペースを確保するべく、基板ボックスの大型化を招くおそれがある。これに対し、本手段では、支持部材において凹部又は孔部として構成される第１被適合部が形成されるため、基板ボックスの大型化等を招くといった事態を防止することができる。
【０２４７】
尚、「前記取付台には、左右一側部側において前記基板搭載ユニットの軸支部が設けられ、左右他側部側において前記支持部材の軸支部が設けられること」としてもよい。この場合、基板搭載ユニットとは反対側に支持部材が開放されることから点検作業が簡単なものとなる。さらに、基板搭載ユニット及び支持部材を一度に（一つの動作で）開放することが不可能となることから、例えば、基板搭載ユニット及び支持部材を開放させて（支持部材と取付台との間を離間させて）取付台の背面側に線材等を通し、取付部材の搭載される検知手段等に接触を図る等といった不正行為を抑止することができる。
【０２４８】
手段６．前記接続部材は前記取付部材に取付けられる基部と、当該基部に回動可能に設けられる前記係合部とを備え、
前記基部は、前記取付台に形成された孔部に挿通される挿通部と、挿通部の延在方向に対して略直交する方向に延びる抜け規制部とを備え、
前記取付台の前方から前記挿通部を前記孔部に挿通するとともに、前記抜け防止部を前記取付台に当接状態で固定し、
前記取付台の後方に突出した前記挿通部に対して前記係合部が回動可能に固定され、
前記係合部を前記基部から取外す場合には、前記接続部材に対して所定の痕跡が形成されることを特徴とする手段５に記載の遊技機。
【０２４９】
手段６によれば、取付台を貫通した基部の挿通部に対して係合部が固定されることで、取付台又は接続部材を破壊しない限り、接続部材を取付部材から取外せなくなる。従って、接続部材を取外すことで、基板ボックスが取外されてしまうといった事態を防止することができる。
【０２５０】
手段７．前記基部の前記挿通部を挿通させるべく前記取付台に形成された前記孔部は、当該孔部に挿通された前記挿通部の外周側に延びる切込み部を有していることを特徴とする手段６に記載の遊技機。
【０２５１】
手段７によれば、切込み部に工具（ニッパー、カッター等）の先端部を挿通し、取付台を破断することにより、接続部材を取付台から別離させることができる。従って、遊技機をリサイクルしたり廃棄したりする際に分別しやすく、作業性の向上が図られる。尚、前記取付台には、前記孔部に挿通された前記挿通部を囲むようにして、複数の切除孔が近接して形成されていることとしてもよい。この場合、まず、隣接する切除孔間の部位を切断し、接続部材を孔部の周縁部位がくっついた状態で取付台から切除した後、切込み部と、取付台から切取られた孔部周縁部位の外縁との間を切断することで、接続部材のみの状態に分別することができる。また、前記取付台には、前記切込み部と前記取付台の所定の外縁部との間にスリットが形成されていることとしてもよい。この場合、切込み部と前記スリットとの間の部位を切断するとともに、前記スリットと取付台の外縁部との間の部位を切断することにより、取付台を２つに分割するようにして、接続部材を取付台から取外すことができる。
【０２５２】
手段８．前記ベース部材に対して前記基板ボックスを所定方向に相対移動させることで前記ベース部材と前記基板ボックスとを組付けた後、前記ベース部材及び前記基板ボックスに設けられたベース側連結部及びボックス側連結部に対し、前記所定方向と交差する方向に連結部材を差込むことで、前記ベース部材と前記基板ボックスとが固定される構成であって、
前記ベース部材と前記基板ボックスとを組付けて、前記第２適合部が前記第２被適合部へと侵入した場合に、前記ベース側連結部と前記ボックス側連結部とが位置合わせされることを特徴とする手段１乃至７のいずれかに記載の遊技機。
【０２５３】
手段８によれば、第２適合部が第２被適合部へと侵入することで、ベース部材に設けられたベース側連結部と基板ボックスに設けられたボックス側連結部とが位置合わせされる。つまり、ベース部材と基板ボックスとが確実に組み付けられているかを確認する意味合いも込めて、ベース側連結部及びボックス側連結部に対し、ベース部材と基板ボックスとの組付け方向と交差する方向に連結部材を差込むことで、ベース部材と基板ボックスとを固定するのである。従って、ベース部材と基板ボックスとが互いに対応するものであるか否かをより確実に把握することができるとともに、ベース部材と基板ボックスとが確実に組み付けられていないにもかかわらず、その状態で取付部材に取付けられてしまうといった事態をより確実に防止することができる。
【０２５４】
尚、「前記基板搭載ユニットを前記取付部材に取付け、前記基板搭載ユニットを閉状態とした後、前記基板搭載ユニット及び前記取付部材に設けられたユニット側連結部及び取付側連結部に対し、連結部材を差し込むことで、前記基板搭載ユニットと前記取付部材とが固定される構成であって、前記基板搭載ユニットを閉鎖して、前記第１適合部が前記第１被適合部へと侵入した場合に、前記ユニット側連結部と前記取付側連結部とが位置合わせされること」としてもよい。この場合、基板搭載ユニットが完全に閉鎖しているかを確認することができる。これにより、基板搭載ユニットに搭載された制御部材が当該遊技機に対応しないものであることに起因して、基板搭載ユニットが完全に閉まっていないのにもかかわらず、そのまま放置されてしまうといった事態を防止することができる。
【０２５５】
また、連結部材として、螺着後に工具係合部（十字穴等）が形成された部位を除去することのできる破断ねじや、取外す方向に回すことのできないワンウェイねじを採用したり、連結部材としてのねじやピンを螺着したり挿通したりした後、これらを接触不能とする構成を採用したりすることで、前記第１連結部を構成することができる。もちろん、第１連結部は別途設けられるものであってもよい。
【０２５６】
手段９．前記ベース部材は、少なくとも一部が前記基板ボックスの前面又は背面に重ねられて取付けられ、
前記ベース側連結部及び前記ボックス側連結部に対し、前記連結部材を前記基板搭載ユニットの前方から差し込むことで、前記ベース部材と前記基板ボックスとが固定されることを特徴とする手段８に記載の遊技機。
【０２５７】
手段９によれば、遊技ホールにおいて制御部材を基板ボックスごと交換するにあたって、基板搭載ユニット（ベース部材）を開状態としないと、ベース部材に対して基板ボックスを取着できない構成となっている。従って、制御部材の交換等に際し、基板ボックスの裏面や取付部材の背面等を確認することとなる。従って、制御部材の裏側や取付部材の背面側に不正な基板を搭載する等の不正行為を発見しやすくなる。
【０２５８】
手段１０．前記取付部材は、遊技機本体の背面側に固定され、前記接続部材が取付けられる取付台と、前記取付台に対して開閉可能に設けられる支持部材とを備え、
前記ベース側連結部及び前記ボックス側連結部は、前記基板搭載ユニットの開閉軸側に設けられていることを特徴とする手段９に記載の遊技機。
【０２５９】
手段１０によれば、基板搭載ユニットを最大限開放したとしても、ベース側連結部及びボックス側連結部は取付部材（支持部材）からあまり離間しない。このため、基板搭載ユニットを最大限開放したとしても、支持部材を開放しなければ、連結部材をベース側連結部及びボックス側連結部に差込む（連結部材がねじである場合には螺着させる）作業が行いにくい。この場合、制御部材を基板ボックスごと交換するにあたって、ベース部材に基板ボックスを取付ける際には、支持部材を開放することとなるため、当該基板ボックスの交換に際し、取付台と支持部材との間を確認することとなる。従って、例えば、取付台と支持部材との間に不正な基板が設置される等の不正行為を発見しやすくなる。
【０２６０】
手段１１．前記ベース部材は少なくとも一部が前記基板ボックスの前面又は背面に重ねられて取付けられ、前記ベース部材の横幅は前記基板ボックスの横幅の１／８以上、１／４以下に設定されていることを特徴とする手段１乃至１０のいずれかに記載の遊技機。
【０２６１】
手段１１によれば、ベース部材の横幅が基板ボックスの横幅の１／４以下に設定されることで、ベース部材によって基板ボックスの裏面（前面）又は表面（背面）が覆われてしまうといった事態を抑止することができる。このため、基板ボックスをベース部材から取外さなくても、基板ボックスに収容された制御部材を確実に確認することができ、点検作業性の向上が図られる。また、ベース部材の横幅が１／８以上に設定されることで、ベース部材と接続部材との接続状態の安定化を図ることができる。尚、ベース部材の横幅は基板ボックスの横幅の１／７以上、１／５以下に設定されるのがより望ましい。
【０２６２】
手段１２．前記接続部材は前記取付部材に取付けられる基部と、当該基部に回動可能に設けられる前記係合部とを備え、
前記基部及び前記係合部は金属により構成され、前記基部と前記係合部とが金属部材により固定されていることを特徴とする手段１乃至１１のいずれかに記載の遊技機。
【０２６３】
手段１２によれば、接続部材を金属製とすることで、接続部材を分断しようとする行為が抑制される。また、被係合部は金属により構成されることとしてもよい。この場合、被係合部を破壊して係合部と被係合部との係合状態を解除するといった行為を抑制することができる。尚、上記手段１に記載のように、係合部又は被係合部の一方を他方に差し込むことで係合部と被係合部とが係合される構成とする場合、係合に際して係合部又は被係合部のうち一方側を弾性変形させることが考えられるが、当該一方側を金属製とすることで、適度な可撓性と剛性を得られ、係合部と被係合部との係合をスムースに行え、かつ、係合状態の安定化を図ることができる。
【０２６４】
また、上記手段４に対応して、「前記封印シールは、前記基板ボックスに対し、前記基板搭載ユニットの開閉軸側の端部とは反対側の端部又はその付近に貼り付けられていること」としてもよい。つまり、一般に、誘導電磁界を形成する読取体を封印シールに近付けることで、アンテナに起電力を発生させ、この起電力を電源としてＩＣチップが識別情報を呼び出してアンテナから読取体に送信するのであるが、封印シールの近傍に金属製の接続部材や被係合部が存在すると、接続部材や被係合部に電力が発生してしまったり、アンテナに十分な起電力が発生しなくなってしまったりするおそれがある。これに対し、当該構成を採用することで、接続部材や被係合部と封印シールとを離間させることができ、上記不具合を回避することができる。また、上記のような不具合を懸念することなく、接続部材や被係合部を構成することができ、接続部材や被係合部に十分な剛性を確保することができる。
【０２６５】
手段１３．前記第１適合部及び前記第１被適合部、前記第２適合部及び前記第２被適合部はそれぞれ複数設けられていることを特徴とする手段１乃至１２のいずれかに記載の遊技機。
【０２６６】
手段１３によれば、例えば、第１適合部の形成位置と第１被適合部の形成位置とが対応していない、又は、第２適合部の形成位置と第２被適合部の形成位置とが対応していないにもかかわらず、基板搭載ユニットと取付部材とが位置ずれして組み付けられたり、基板ボックスとベース部材とが位置ずれして組み付けられた場合に、第１適合部及び第１被適合部が挿通状態とされてしまったり、第２適合部及び第２被適合部が挿通状態とされてしまったりして、誤組付けに気付かないといった事態を抑止することができる。
【０２６７】
以下に、上記各手段が適用される各種遊技機の基本構成を示す。
【０２６８】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２６９】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２７０】
Ｃ．上記各手段における前記遊技機、又は、上記各弾球遊技機は、パチンコ機又はパチンコ機に準ずる遊技機であること。
【０２７１】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２７２】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２７３】
１０…パチンコ機、１１…外枠、１２…内枠、１４…前面枠セット、３０…遊技盤、２１５…取付部材，取付台を構成する裏枠セット、２６１…主制御装置、２６３…基板ボックス、２８１…接続金具、２８６…係合部としての差込部、６００…施錠装置、６０１…取付部材、支持部材を構成するスペーサー、７０１…基板搭載ユニット、７３１…第２連結部を構成する第１封印部、７３７…第１連結部を構成するベース取付用ボス、７７１…第２連結部を構成する第２封印部、７９３…封印シール、８０１…ベース部材、８６１…被覆手段としての結合部、８７１…被係合部としての係止金具、８８６…第１連結部を構成するボックス固定部、９０１…第１被適合部としての適合孔部、９０３…閉塞部材、９０７…第１適合部としての第１適合突起、９１１…第１被適合部としての適合凹部、９１７…第１適合部としての第２適合突起、９２１…第２被適合部としての切込み凹部、９２７…第２適合部としての第３適合突起。
【図１】
2015163250.tif 000003
【図２】
2015163250.tif 000004
【図３】
2015163250.tif 000005
【図４】
2015163250.tif 000006
【図５】
2015163250.tif 000007
【図６】
2015163250.tif 000008
【図７】
2015163250.tif 000009
【図８】
2015163250.tif 000010
【図９】
2015163250.tif 000011
【図１０】
2015163250.tif 000012
【図１１】
2015163250.tif 000013
【図１２】
2015163250.tif 000014
【図１３】
2015163250.tif 000015
【図１４】
2015163250.tif 000016
【図１５】
2015163250.tif 000017
【図１６】
2015163250.tif 000018
【図１７】
2015163250.tif 000019
【図１８】
2015163250.tif 000020
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
固定枠と、
前記固定枠の左右一側部側に対応して回転可能に支持される遊技機本体の背面側に固定される取付部材と、
前記取付部材に固定される基部と、前記基部に対して回転可能に設けられる係合部とを具備する接続部材と、
前記接続部材に取付けられ、各種制御を行う制御部材を搭載してなる基板搭載ユニットとを備える遊技機において、
前記基板搭載ユニットは、前記制御部材と、前記制御部材に対応して成形され、前記制御部材を収容する基板ボックスと、前記基板ボックスに取付けられるベース部材と、前記基板ボックスと前記ベース部材とを連結するための複数の第１連結部と、前記複数ある第１連結部のうち一部において前記基板ボックスと前記ベース部材とを連結する第１連結部材とを備え、未使用の前記第１連結部が残存するとともに、前記基板ボックスを前記ベース部材から取外した場合に前記基板搭載ユニットに対して所定の痕跡が形成される構成であり、
前記基板ボックスは、ボックスベースと、前記ボックスベースの開口部を覆うボックスカバーと、前記ボックスベースと前記ボックスカバーとを連結するための第２連結部と、前記第２連結部において前記ボックスベースと前記ボックスカバーとを連結する第２連結部材とを備え、前記基板ボックスを開封した場合に前記基板ボックスに対して所定の痕跡が形成される構成であり、
前記ベース部材は、前記接続部材の前記係合部と係合可能な被係合部を備え、前記係合部又は前記被係合部のうち一方を他方に差込むことで、前記係合部と前記被係合部とが係合し、前記ベース部材が前記接続部材を介して前記取付部材に取付けられるとともに、前記他方に設けられた被覆手段により、前記係合部と前記被係合部との結合部分が覆われ、前記取付部材、前記接続部材、又は、前記ベース部材を破壊しない限り、前記ベース部材を前記取付部材から取外し不可能となる構成であって、
前記基板ボックス又は前記ベース部材のうち一方に設けられた適合部と、他方に設けられた被適合部とを備え、
前記第１連結部は、前記ベース部材に設けられたベース側連結部と、前記基板ボックスに設けられたボックス側連結部とを備え、
前記ベース部材に対して前記基板ボックスを所定方向に相対移動させることで前記ベース部材と前記基板ボックスとを組付けた後、前記ベース側連結部及び前記ボックス側連結部に対し、前記所定方向と交差する方向に前記第１連結部材を進入させることで、前記ベース部材と前記基板ボックスとが連結される構成であって、
前記基板ボックスと前記ベース部材との組付けに際し、前記適合部の位置と前記被適合部の位置とが合致した場合に、前記ベース側連結部と前記ボックス側連結部とが位置合わせされることを特徴とする遊技機。
【請求項２】
前記遊技機は、パチンコ機、スロットマシン、又は、パチンコ機とスロットマシンとを融合した形式の遊技機であることを特徴とする請求項１に記載の遊技機。
【手続補正２】
【補正対象書類名】明細書
【補正対象項目名】０００８
【補正方法】変更
【補正の内容】
【０００８】
請求項１に記載の遊技機は、
固定枠と、
前記固定枠の左右一側部側に対応して回転可能に支持される遊技機本体の背面側に固定される取付部材と、
前記取付部材に固定される基部と、前記基部に対して回転可能に設けられる係合部とを具備する接続部材と、
前記接続部材に取付けられ、各種制御を行う制御部材を搭載してなる基板搭載ユニットとを備える遊技機において、
前記基板搭載ユニットは、前記制御部材と、前記制御部材に対応して成形され、前記制御部材を収容する基板ボックスと、前記基板ボックスに取付けられるベース部材と、前記基板ボックスと前記ベース部材とを連結するための複数の第１連結部と、前記複数ある第１連結部のうち一部において前記基板ボックスと前記ベース部材とを連結する第１連結部材とを備え、未使用の前記第１連結部が残存するとともに、前記基板ボックスを前記ベース部材から取外した場合に前記基板搭載ユニットに対して所定の痕跡が形成される構成であり、
前記基板ボックスは、ボックスベースと、前記ボックスベースの開口部を覆うボックスカバーと、前記ボックスベースと前記ボックスカバーとを連結するための第２連結部と、前記第２連結部において前記ボックスベースと前記ボックスカバーとを連結する第２連結部材とを備え、前記基板ボックスを開封した場合に前記基板ボックスに対して所定の痕跡が形成される構成であり、
前記ベース部材は、前記接続部材の前記係合部と係合可能な被係合部を備え、前記係合部又は前記被係合部のうち一方を他方に差込むことで、前記係合部と前記被係合部とが係合し、前記ベース部材が前記接続部材を介して前記取付部材に取付けられるとともに、前記他方に設けられた被覆手段により、前記係合部と前記被係合部との結合部分が覆われ、前記取付部材、前記接続部材、又は、前記ベース部材を破壊しない限り、前記ベース部材を前記取付部材から取外し不可能となる構成であって、
前記基板ボックス又は前記ベース部材のうち一方に設けられた適合部と、他方に設けられた被適合部とを備え、
前記第１連結部は、前記ベース部材に設けられたベース側連結部と、前記基板ボックスに設けられたボックス側連結部とを備え、
前記ベース部材に対して前記基板ボックスを所定方向に相対移動させることで前記ベース部材と前記基板ボックスとを組付けた後、前記ベース側連結部及び前記ボックス側連結部に対し、前記所定方向と交差する方向に前記第１連結部材を進入させることで、前記ベース部材と前記基板ボックスとが連結される構成であって、
前記基板ボックスと前記ベース部材との組付けに際し、前記適合部の位置と前記被適合部の位置とが合致した場合に、前記ベース側連結部と前記ボックス側連結部とが位置合わせされることを特徴としている。